(57)【特許請求の範囲】
【請求項１】
前面に遊技領域が形成された遊技盤を、本体枠に配設してなる遊技機本体と、
前記遊技盤を遊技機前方から覆うとともに前記遊技領域が視認可能となるように形成されたパネル部を、前記遊技機本体の前方に配されているとともに同遊技機本体に対して開閉可能に設けられた扉枠の背面部に配設してなる扉体と、
前記パネル部に設けられたパネル側規制部と、前記遊技盤に設けられ前記扉体が前記遊技機本体に対して閉じている状況下にて前記パネル側規制部に隙間を隔てて対峙する遊技盤側規制部とを有し、当該状況下にて前記パネル側規制部が前記遊技盤側規制部に後方から当接することにより前記遊技盤と前記パネル部との隙間の変化を規制する規制手段と
を備え、
前記扉体は、前記パネル部を前後方向へ変位可能な状態で保持する保持部、及び前記パネル部を遊技機前方へ付勢する付勢手段を有し、
前記規制手段によって隙間の変化が規制されている状態においては、前記付勢手段の付勢力に抗することにより前後方向における前記パネル部と前記扉枠との相対変位が許容されることを特徴とする遊技機。
【発明の詳細な説明】
【技術分野】
【０００１】
本発明は、遊技機に関するものである。
【背景技術】
【０００２】
パチンコ機等の遊技機には、遊技盤を本体枠に搭載してなる遊技機本体と、その遊技機本体に取り付けられているとともに同遊技機本体を前面側から覆う扉体とを備えているものがある。扉体は、遊技盤の前方に開口部が形成された扉枠と、同扉枠とは別体で形成され、その開口部を覆うパネル部とを有している。パネル部は、遊技盤の前面に対向するようにして配置されており、それら遊技盤とパネル部との間に形成された遊技領域が同パネル部を通して視認可能となっている。遊技盤とパネル部との隙間は、例えば遊技球の直径寸法よりも若干大きく設定されており、上記遊技領域での遊技球の流下が担保されている。
【０００３】
遊技領域には入賞口や入賞装置等の各種構成が設けられている。遊技者により遊技球発射ハンドルが操作されると遊技球が遊技領域に向けて発射され、それら遊技球が入賞口や入賞装置等に入賞した場合には予め設定された個数の遊技球が払い出される（例えば特許文献１参照）。
【先行技術文献】
【特許文献】
【０００４】
【特許文献１】特開２００８−１０４４６８号公報
【発明の概要】
【発明が解決しようとする課題】
【０００５】
上述の如く遊技盤とパネル部との間に遊技領域が形成されているタイプの遊技機においては、それら遊技盤とパネル部との位置関係がばらついたり変化したりすることは好ましくない。
【０００６】
本発明は、上記例示した事情等に鑑みてなされたものであり、遊技盤とパネル部との位置関係を好適に維持することができる遊技機を提供することを目的とするものである。
【課題を解決するための手段】
【０００７】
以下、上記課題を解決するための手段について記載する。
【０００８】
請求項１記載の発明は、
前面に遊技領域が形成された遊技盤を、本体枠に配設してなる遊技機本体と、
前記遊技盤を遊技機前方から覆うとともに前記遊技領域が視認可能となるように形成されたパネル部を、前記遊技機本体の前方に配されているとともに同遊技機本体に対して開閉可能に設けられた扉枠の背面部に配設してなる扉体と、
前記パネル部に設けられたパネル側規制部と、前記遊技盤に設けられ前記扉体が前記遊技機本体に対して閉じている状況下にて前記パネル側規制部に隙間を隔てて対峙する遊技盤側規制部とを有し、当該状況下にて前記パネル側規制部が前記遊技盤側規制部に後方から当接することにより前記遊技盤と前記パネル部との隙間の変化を規制する規制手段と
を備え、
前記扉体は、前記パネル部を前後方向へ変位可能な状態で保持する保持部、及び前記パネル部を遊技機前方へ付勢する付勢手段を有し、
前記規制手段によって隙間の変化が規制されている状態においては、前記付勢手段の付勢力に抗することにより前後方向における前記パネル部と前記扉枠との相対変位が許容されることを特徴とする。
【発明の効果】
【０００９】
遊技盤とパネル部との位置関係を好適に維持することができる。
【図面の簡単な説明】
【００１０】
【図１】一実施の形態におけるパチンコ機を示す正面図である。
【図２】パチンコ機の主要な構成を展開して示す斜視図である。
【図３】前扉枠の構成を示す背面図である。
【図４】前扉枠の構成を示す分解斜視図である。
【図５】内枠の構成を示す正面図である。
【図６】遊技盤の構成を示す正面図である。
【図７】内枠の構成を示す背面図である。
【図８】遊技盤の背面構成を示す斜視図である。
【図９】パチンコ機の構成を示す背面図である。
【図１０】裏パックユニットの構成を示す正面図である。
【図１１】内枠から遊技盤を取り外した状態を示す正面斜視図である。
【図１２】図５のＡ−Ａ線部分断面図である。
【図１３】開放された前扉枠と遊技盤及び挿入部との位置関係を示す概略図である。
【図１４】図６の部分拡大図である。
【図１５】第２レールカバーの正面斜視図である。
【図１６】第２レールカバーとガラスユニットとの位置関係を示す概略図である。
【図１７】図５のＢ−Ｂ線部分断面図である。
【図１８】ガラスユニットの取付構造を示す部分断面図である。
【図１９】遊技盤とガラスユニットとの位置関係を示す概略図である。
【図２０】遊技盤の取外作業を説明するための概略図である。
【図２１】遊技盤の装着作業を説明するための概略図である。
【図２２】遊技盤の装着作業を説明するための概略図である。
【図２３】パチンコ機の電気的構成を示すブロック図である。
【発明を実施するための形態】
【００１１】
以下、遊技機の一種であるパチンコ遊技機（以下、「パチンコ機」という）の一実施の形態を、図面に基づいて詳細に説明する。図１はパチンコ機１０の正面図、図２はパチンコ機１０の主要な構成を展開して示す斜視図である。なお、図２では便宜上パチンコ機１０の遊技領域内の構成を省略している。
【００１２】
図１に示すように、パチンコ機１０は、当該パチンコ機１０の外殻を形成する外枠１１と、この外枠１１に取り付けられた遊技機主部１２とを有している。
【００１３】
外枠１１は木製の板材を四辺に連結し構成されるものであって矩形枠状をなしている。パチンコ機１０は、外枠１１を島設備に取り付け固定することにより、遊技場の島設備に設置される。なお、パチンコ機１０において外枠１１は必須の構成ではなく、遊技場の島設備に外枠１１が備え付けられた構成としてもよい。
【００１４】
この外枠１１によって遊技機主部１２が開閉可能な状態で支持されている。具体的には、図１に示すように、外枠１１における上枠部と左枠部との連結部分に上側支持用金具１７が固定されており、さらに外枠１１における下枠部と左枠部との連結部分に下側支持用金具１８が設けられている。これら上側支持用金具１７及び下側支持用金具１８により支持機構が構成され、当該支持機構により外枠１１に対して遊技機主部１２がパチンコ機１０の正面視で左側を回動基端側、右側を回動先端側としてパチンコ機１０の前方へ回動可能とされている。
【００１５】
図２に示すように、遊技機主部１２は、ベース体としての内枠１３と、その内枠１３の前方に配置される前面扉１４と、内枠１３の後方に配置される裏パックユニット１５（図３参照）とを備えている。なお、遊技機主部１２のうち内枠１３が外枠１１に対して回動可能に支持されている。
【００１６】
内枠１３には、図２に示すように、前面扉１４が回動可能に支持されており、パチンコ機１０の正面視で左側を回動基端側とし右側を回動先端側として前方へ回動可能とされている。また、内枠１３には、図３に示すように、裏パックユニット１５が回動可能に支持されており、パチンコ機１０の正面視で左側を回動基端側とし右側を回動先端側として後方へ回動可能とされている。
【００１７】
次に、前面扉１４について説明する。なお、以下の説明では、図１及び図２を参照するとともに、前面扉１４の背面の構成については図３及び図４を参照する。図３は前面扉１４の背面図、図４は前面扉１４の分解斜視図である。
【００１８】
図２に示すように、前面扉１４は、外形が外枠１１とほぼ同一形状をなす合成樹脂製の枠体２０を主体に構成されており、内枠１３における前面側のほぼ全域を覆っている。枠体２０の中央部分には後述する遊技領域ＰＥのほぼ全域を前方から視認することができるようにした略楕円状の窓部２１が形成されており、その窓部２１はガラスユニット３０によって同前面扉１４の背面側から覆われている（図３参照）。
【００１９】
図４に示すように、枠体２０には窓部２１を囲むようにしてガラスユニット設置部２２が形成されている。詳しくは、ガラスユニット設置部２２は、枠体２０の背面側に配されているとともにパチンコ機１０の前方に向けて凹んでおり、その底部に上記窓部２１が配設されている。ガラスユニット３０は、ガラスユニット設置部２２に嵌まることで上下方向及び左右方向への変位が規制されている。
【００２０】
ガラスユニット３０は、透明性を有するガラスパネル３１，３２と、それらガラスパネル３１，３２を保持するガラスホルダ３３とを備えている。ガラスホルダ３３は、窓部２１に沿って形成された環状の枠部３４を有しており、同枠部３４によって囲まれた領域にガラスパネル３１，３２が収容されている。
【００２１】
枠部３４には、ガラスパネル３１，３２を収容している側とは反対側に突出するようにして枠体２０に対する取付部３５が複数形成されている。取付部３５は枠部３４の４隅に配設されており、これら取付部３５が枠体２０にネジ止めされることで、ガラスユニット３０と枠体２０とが一体化されている。なお、ガラスユニット３０の取付構造に関しては後に詳しく説明する。
【００２２】
また、枠部３４には、上記囲まれた領域を前後に仕切る仕切り部３６が形成されている。仕切り部３６は、枠部３４の中央側へ起立しており、当該枠部３４の周方向に延びる突条をなしている。つまり、仕切り部３６によってガラスパネル３１，３２を収容する収容部３７，３８が区画されている。
【００２３】
各ガラスパネル３１，３２は、収容部３７，３８に収容され仕切り部３６を挟んで相対向した状態で、同仕切り部３６に対して接着されている。これにより、ガラスパネル３１，３２の間に所定の隙間が確保され、ガラスパネル３１，３２同士の干渉を回避しつつ、それらガラスパネル３１，３２によって遊技領域ＰＥをパチンコ機１０の正面側から２重に覆った状態となっている。
【００２４】
再び図１を参照して説明すれば、窓部２１の周囲には各種ランプ等の発光手段が設けられている。例えば、窓部２１の周縁に沿ってＬＥＤ等の発光手段を内蔵した環状電飾部２３が設けられている。環状電飾部２３では、大当たり時や所定のリーチ時等における遊技状態の変化に応じて点灯や点滅が行われる。また、環状電飾部２３の中央であってパチンコ機１０の最上部には所定のエラー時に点灯するエラー表示ランプ部２４が設けられ、窓部２１の左右両側には賞球払出中に点灯する賞球ランプ部２５が設けられている。また、中央のエラー表示ランプ部２４に近接した位置には、遊技状態に応じた効果音などが出力されるスピーカ部２６が設けられている。
【００２５】
前面扉１４における窓部２１の下方には、手前側へ膨出した上側膨出部２７と下側膨出部２８とが上下に並設されている。上側膨出部２７内側には上方に開口した上皿２７ａが設けられており、下側膨出部２８内側には同じく上方に開口した下皿２８ａが設けられている。上皿２７ａは、後述する払出装置より払い出された遊技球を一旦貯留し、一列に整列させながら後述する遊技球発射機構側へ導く機能を有している。また、下皿２８ａは、上皿２７ａ内にて余剰となった遊技球を貯留する機能を有している。
【００２６】
下側膨出部２８並びとなる位置には、手前側へ突出するようにして遊技球発射ハンドル２９が設けられている。遊技球発射ハンドル２９が操作されることにより、後述する遊技球発射機構から遊技球が発射される。
【００２７】
前面扉１４の背面には、図２及び図３に示すように、通路形成ユニット５０が取り付けられている。通路形成ユニット５０は、合成樹脂により成形されており、上皿２７ａに通じる前扉側上皿通路５１と、下皿２８ａに通じる前扉側下皿通路５２とが形成されてなる。通路形成ユニット５０において、その上側隅部には後方に突出し上方に開放された受口部５３が形成されており、当該受口部５３を仕切壁５４によって左右に仕切ることで前扉側上皿通路５１と前扉側下皿通路５２の入口部分とが形成されている。前扉側上皿通路５１及び前扉側下皿通路５２は上流側が後述する遊技球分配部に通じており、前扉側上皿通路５１に入った遊技球は上皿２７ａに導かれ、前扉側下皿通路５２に入った遊技球は下皿２８ａに導かれる。
【００２８】
次に、図５に基づき内枠１３について詳細に説明する。図５は内枠１３の正面図である。なお、図５においては、図２と同様にパチンコ機１０の遊技領域内の構成を省略している。
【００２９】
内枠１３は、外形が外枠１１とほぼ同一形状をなす樹脂ベース７０を主体に構成されている。樹脂ベース７０の前面における回動基端側（図５の左側）には、その上端部及び下端部に支持金具７１，７２が取り付けられている。また、前面扉１４の背面における回動基端側（図３の右側）には、それら支持金具７１，７２に対応させて突起軸６１，６２が設けられている。図示は省略するが、支持金具７１，７２には軸孔が形成されており、それら軸孔に前面扉１４の突起軸６１，６２が挿入されることにより、内枠１３に対して前面扉１４が回動可能に支持されている。つまり、これら支持金具７１，７２及び突起軸６１，６２は内枠１３に対する組付機構を構成している。
【００３０】
内枠１３の前面には施錠装置７５が設けられている。施錠装置７５は、前面扉１４に向けて延びる複数の前扉用鉤部材７６を有している。これら前扉用鉤部材７６に対応させて、前面扉１４の背面には内枠１３側に延びる鉤受け部材６３が複数設けられている。前扉用鉤部材７６が鉤受け部材６３に引っ掛かることにより前面扉１４が閉じた状態で施錠される。また、施錠装置７５は、内枠１３の後方へ延びる内枠用鉤部材７７を有している。これら内枠用鉤部材７７が外枠１１の鉤受け部材１９に引っ掛かることにより遊技機主部１２が外枠１１に対して閉じた状態で施錠される。
【００３１】
樹脂ベース７０の右下隅部には、施錠装置の解錠操作を行うためのシリンダ錠７８が設置されている。シリンダ錠７８は施錠装置に一体化されており、その先端部分（鍵穴部分）が上記前面扉１４に設けられた孔部を通じてパチンコ機１０の前方に露出している。シリンダ錠７８の鍵穴に差し込んだキーを右に回すことで内枠１３に対する前面扉１４の施錠が解除され、同キーを左に回すことで外枠１１に対する内枠１３の施錠が解除される。
【００３２】
樹脂ベース７０前面の略中央部分には、遊技盤８０を収容する遊技盤収容部７３が形成されている。遊技盤収容部７３は、パチンコ機１０の後方に凹み、遊技盤８０を収容する収容空間を区画しており、樹脂ベース７０に取り付けられた遊技盤８０がその収容空間に嵌まった状態となっている。本実施の形態においては特に、遊技盤８０が樹脂ベース７０に対して着脱可能に取り付けられており、メンテナンス作業等の容易化が図られている。
【００３３】
遊技盤８０は、木製の合板と同合板における前側の板面を覆うシート材とを有してなり、その前面が遊技盤収容部７３の開放部分を通じて樹脂ベース７０の正面側に露出している。この露出している部位、すなわち遊技盤８０の前面には、遊技球が流下する遊技領域ＰＥが形成されている。既に説明したように遊技領域ＰＥはガラスパネル３２によって覆われている。ガラスパネル３２は、遊技盤８０の前面との隙間が遊技球の直径よりも僅かに大きくなるように、すなわち遊技領域ＰＥを流下する遊技球が同遊技領域ＰＥの同一箇所にて前後に並ばないように配置されている。これにより、遊技領域ＰＥでの球詰まりを抑制している。なお、遊技盤８０は木製に限定されるのものではなく、例えば合成樹脂材製とすることも可能である。
【００３４】
以下、図６に基づき遊技盤８０（特に遊技領域ＰＥに配された各種構成）について説明する。図６は遊技盤８０の正面図である。
【００３５】
遊技盤８０には、ルータ加工が施されることによって自身の厚さ方向（前後方向）に貫通する大小複数の開口が形成されている。各開口には、一般入賞口８１、可変入賞装置８２、作動口８３ａ，８３ｂ、スルーゲート８４及び可変表示ユニット８５等がそれぞれ設けられている。一般入賞口８１、可変入賞装置８２及び作動口８３ａ，８３ｂに遊技球が入ると、それら遊技球が後述する検知スイッチにより検知され、その検知結果に基づいて所定数の賞球の払い出しが実行される。その他に、遊技盤８０の最下部にはアウト口８６が設けられており、各種入賞口等に入らなかった遊技球はアウト口８６を通って遊技領域ＰＥから排出される。
【００３６】
また、遊技盤８０には、遊技球の流下経路を適宜分散，調整等するために多数の釘８７が植設されているとともに、風車等の各種部材（役物）が配設されている。これら釘８７や風車等の各種構成によって、遊技球の流下経路が分化され、上述した一般入賞口８１等への入賞が適度な確立で発生するように調整されている。
【００３７】
可変入賞装置８２は、通常は遊技球が入賞できない又は入賞し難い閉状態になっており、大当たりの際に遊技球が入賞しやすい所定の開放状態に切り換えられるようになっている。可変入賞装置８２の開放態様としては、所定時間（例えば３０秒間）の経過又は所定個数（例えば１０個）の入賞を１ラウンドとして、同可変入賞装置８２の開放が複数ラウンド（例えば１５ラウンド）を上限として繰り返されるように設定されている。
【００３８】
可変表示ユニット８５は遊技盤８０の中央上寄りに配置されており、その下方に作動口８３ａ，８３ｂが配置されている。より詳しくは、作動口８３ａ，８３ｂは、作動口８３ａを上側、作動口８３ｂを下側として上下に並設されている。可変表示ユニット８５及び作動口８３ａ，８３ｂは、遊技性を司る部位であり遊技者の注意が集まりやすい。それら可変表示ユニット８５及び作動口８３ａ，８３ｂを遊技機中央において上下に並べて配置することで両者間での視線の移動量を抑え、遊技者の目に生じる負担の低減に貢献している。
【００３９】
可変表示ユニット８５は、作動口８３ａ，８３ｂへの入賞をトリガとして図柄を可変表示する図柄表示装置９４を備えている。図柄表示装置９４は、液晶ディスプレイ（表示画面９４ａ）を備えた液晶表示装置として構成されており、後述する表示制御装置によりその表示内容が制御されている。具体的には、表示画面９４ａにおいては、上段，中段及び下段に並べて図柄が表示され、これらの図柄が左右方向にスクロールされるようにして変動表示される。そして、大当たり発生時には、予め設定されている有効ライン上に所定の組合せの図柄が停止表示され、特別遊技状態へと移行される。なお、表示画面９４ａにおける表示態様を以下のように変更してもよい。すなわち、左，中及び右に並べて図柄を表示し、それら図柄を上下スクロールさせるようにして変動表示させてもよい。
【００４０】
また、可変表示ユニット８５は、図柄表示装置９４を囲むようにして形成されたセンターフレーム９５を備えている。センターフレーム９５の上部には、第１特定ランプ部９６及び第２特定ランプ部９７が設けられている。また、センターフレーム９５の上部及び下部にはそれぞれ保留ランプ部９８，９９が設けられている。下側の保留ランプ部９８は、図柄表示装置９４及び第１特定ランプ部９６に対応しており、遊技球が作動口８３を通過した回数は最大４回まで保留され保留ランプ部９８の点灯によってその保留個数が表示されるようになっている。上側の保留ランプ部９９は、第２特定ランプ部９７に対応しており、遊技球がスルーゲート８４を通過した回数は最大４回まで保留され保留ランプ部９９の点灯によってその保留個数が表示されるようになっている。
【００４１】
再び図５を用いて説明すれば、樹脂ベース７０における遊技盤収容部７３（遊技盤８０）の下方には、遊技球発射ハンドル２９の操作に基づいて遊技領域ＰＥへ遊技球を発射する遊技球発射機構１１０が設けられている。遊技球発射機構１１０は、所定の発射待機位置に配置された遊技球を打ち出すソレノイド１１１と、同ソレノイド１１１によって打ち出された遊技球の発射方向を規定する発射レール１１２と、上記発射待機位置に遊技球を供給する球送装置１１３と、それら各種構成１１１〜１１３が装着されているベースプレート１１４とを主要な構成として備えており、同ベースプレート１１４が樹脂ベース７０に対してネジ止めされることで内枠１３に対して一体化されている。
【００４２】
発射レール１１２は、遊技盤８０側に向けて上り傾斜となるように、斜めに傾いた状態でベースプレート１１４に固定されている。発射レール１１２の下流側の端部（すなわち下端部）寄りとなる位置には、球送装置１１３から供給された遊技球を上述した発射待機位置に留める球ストッパ１１５が配されている。球ストッパ１１５よりも更に下流側となる位置に、上記ソレノイド１１１が配置されている。
【００４３】
ソレノイド１１１は、後述する電源・発射制御装置に対して電気的に接続されている。その電源・発射制御装置からの電気的な信号の出力に基づいてソレノイド１１１の出力軸が伸縮方向に往復動することにより、発射待機位置に置かれた遊技球が遊技盤８０側、詳しくは遊技盤８０に装着された誘導レール１００に向けて打ち出される。
【００４４】
誘導レール１００は、後述する遊技領域区画部材１０８と共に遊技領域ＰＥを同遊技領域ＰＥの外形が略円形状となるように区画形成している。また、誘導レール１００は、遊技球の直径よりも若干大きな隙間を隔てて対峙するように配置された内レール１０１及び外レール１０２からなり、それら両レール１０１，１０２によって一条の誘導通路１０３が区画形成されている。誘導通路１０３は、発射レール１１２の先端側（斜め下方）に開放された入口部分１０４と、遊技領域ＰＥの上部に位置する出口部分１０５とを有している。ソレノイド１１１の動作に基づいて発射された遊技球は、発射レール１１２→誘導レール１００（入口部分１０４→出口部分１０５）の順に移動することにより遊技領域ＰＥに導かれる。なお、遊技盤８０において出口部分１０５の先側、詳しくは内レール１０１の先端付近には、遊技領域ＰＥに到達した遊技球の同誘導通路１０３内への逆戻りを防止する逆戻り防止部材１０６が取り付けられており、先んじて遊技領域ＰＥに至った遊技球によって後続する遊技球の打ち出しが妨げられることを抑制している。
【００４５】
誘導レール１００を構成している各レール１０１，１０２は、遊技領域ＰＥの略中央部分を中心とする円弧状をなしている。このため、誘導通路１０３を通過する遊技球は、自身に発生する遠心力により外レール１０２に沿って、すなわち外レール１０２に接触したまま移動（摺動又は転動）しやすくなっている。
【００４６】
同図５に示すように、誘導レール１００及び発射レール１１２は、同誘導レール１００の入口部分１０４と発射レール１１２の先端部分とが遊技盤８０の下端縁を挟んで斜めに対峙するように配置されている。つまり、それら両レール１００，１１２は、同誘導レール１００の入口部分１０４と発射レール１１２の先端部分とが遊技盤８０の下端縁近傍にて左右にずれるようにして配置されている。これにより両レール１００，１１２を遊技盤８０の下端縁に近づけつつ、誘導レール１００の入口部分１０４と発射レール１１２との間には所定間隔の隙間を形成している。
【００４７】
このようにして形成された隙間よりも下側にはファール球通路５５が配設されている。ファール球通路５５は前面扉１４の通路形成ユニット５０に一体成形されている。仮に遊技球発射機構１１０から発射された遊技球が遊技領域ＰＥまで至らずファール球として誘導通路１０３内を逆戻りする場合には、それらファール球が上記隙間を介してファール球通路５５内に入ることとなる。ファール球通路５５は前扉側下皿通路５２に通じており、ファール球通路５５に入った遊技球は図１に示した下皿２８ａに排出される。これにより、ファール球と次に発射される遊技球との干渉が抑制される。
【００４８】
また、樹脂ベース７０には、遊技盤収容部７３からの遊技盤８０の取り外しを不可とするロック状態と、同遊技盤８０の取り外しを許容するアンロック状態とに切替可能なロック装置７９が複数設けられている。ロック装置７９はロック状態にて遊技盤８０の前面に当接する当接部を有しており、同当接部が遊技盤８０の前面に当接することによって遊技盤８０の前面扉１４側への変位が抑えられることとなる。
【００４９】
樹脂ベース７０において発射レール１１２の左方（詳しくは前面扉１４を支持している側）には、樹脂ベース７０を前後方向に貫通する貫通孔に通路形成部材１２１が配設されている。通路形成部材１２１は、樹脂ベース７０に対してネジ止めされており、本体側上皿通路１２２と本体側下皿通路１２３とを有している。それら本体側上皿通路１２２及び本体側下皿通路１２３の上流側は、後述する遊技球分配部に通じている。また、通路形成部材１２１の下方には前面扉１４に取り付けられた通路形成ユニット５０の受口部５３が入り込んでおり、本体側上皿通路１２２の下方には前扉側上皿通路５１が配置され、本体側下皿通路１２３の下方には前扉側上皿通路５１が配置されている（図５参照）。
【００５０】
樹脂ベース７０において通路形成部材１２１の下方には、本体側上皿通路１２２及び本体側下皿通路１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能な状態で樹脂ベース７０によって支持されている。また、樹脂ベース７０にはシャッタ１２４を阻止位置に向けて付勢する付勢部材が取り付けられており、前面扉１４を内枠１３に対して開いた状態では付勢部材の付勢力によってシャッタ１２４が阻止位置に留まる構成となっている。これにより、本体側上皿通路１２２又は本体側下皿通路１２３に遊技球が貯留されている状態で前面扉１４を開放した場合に、その貯留球がこぼれ落ちてしまうといった不都合が回避されている。これに対し、前面扉１４を閉じた状態では、前面扉１４の通路形成ユニット５０に設けられた受口部５３により上記付勢力に抗してシャッタ１２４が許容位置に押し戻される。この状態では、本体側上皿通路１２２及び前扉側上皿通路５１と、本体側下皿通路１２３及び前扉側下皿通路５２とがそれぞれ連通し、遊技球の移動が許容されることとなる。
【００５１】
次に、図７に基づき内枠１３（樹脂ベース７０及び遊技盤８０）の背面構成について説明する。図７は内枠１３の背面図である。
【００５２】
樹脂ベース７０の背面における回動基端側（図７の右側）には、軸受け金具１３２が取り付けられている。軸受け金具１３２には、上下に離間させて軸受け部１３３が形成されており、これら軸受け部１３３により内枠１３に対して裏パックユニット１５が回動可能に取り付けられている。また、樹脂ベース７０の背面には、裏パックユニット１５を内枠１３に固定するための固定レバー１３４が複数設けられている。
【００５３】
樹脂ベース７０における遊技盤収容部７３の底部分（後述する対向板部２５１）には樹脂ベース７０の厚さ方向に貫通し同樹脂ベース７０の背面側に開放された中央開口７４が形成されており、その中央開口７４が遊技盤収容部７３に収容された遊技盤８０によって内枠１３の正面側から覆われている。遊技盤８０の背面には制御装置等の各種構成が搭載されており、それら各種構成は中央開口７４を通じて内枠１３の背側に露出した状態となっている。ここで、図８に基づき遊技盤８０の背面の構成について詳細に説明する。図８は遊技盤８０を後方から見た斜視図である。
【００５４】
遊技盤８０の背面には、可変表示ユニット８５を遊技盤８０に対して搭載する合成樹脂製の台座部材１４１が固定されている。台座部材１４１は、遊技盤８０側に開放された略箱状をなしており遊技盤８０の背面のほぼ全域を覆っている。台座部材１４１の一部は樹脂ベース７０の中央開口７４を通じて同樹脂ベース７０の背面側に突出しており、その突出した部分に対して上述した図柄表示装置９４と、その図柄表示装置９４を駆動するための表示制御装置とが取り付けられている。これら図柄表示装置９４及び表示制御装置は前後方向（樹脂ベース７０の厚さ方向）に図柄表示装置が前側且つ表示制御装置が後側となるように重ねて配置されている。さらに、遊技盤８０には、表示制御装置の後方に位置するようにして音声ランプ制御装置ユニット１４２が搭載されている。音声ランプ制御装置ユニット１４２は、音声ランプ制御装置１４３と、取付台１４４とを具備する構成となっており、取付台１４４上に音声ランプ制御装置１４３が装着されている。
【００５５】
音声ランプ制御装置１４３は、後述する主制御装置からの指示に従い音声やランプ表示、及び表示制御装置の制御を司る音声ランプ制御基板を具備しており、音声ランプ制御基板が透明樹脂材料等よりなる基板ボックス１４５に収容されて構成されている。
【００５６】
音声ランプ制御装置ユニット１４２の下方には、台座部材１４１を後方から覆うようにして主制御装置ユニット１６０が設けられている。主制御装置ユニット１６０は、遊技盤８０の背面に固定された合成樹脂製の取付台１６１と、その取付台１６１に搭載された主制御装置１６２とを有している。主制御装置１６２は、遊技の主たる制御を司る機能（主制御回路）と、電源を監視する機能（停電監視回路）とを有する主制御基板を具備しており、当該主制御基板が透明樹脂材料等よりなる基板ボックス１６３に収容されて構成されている。
【００５７】
基板ボックス１６３は、略直方体形状のボックスベース（表ケース体）とこのボックスベースの開口部を覆うボックスカバー（裏ケース体）とを備えている。これらボックスベースとボックスカバーとは封印手段としてのボックス封印部１６４によって開封不能に連結され、これにより基板ボックス１６３が封印されている。ボックス封印部１６４は、基板ボックス１６３の短辺部に複数設けられ、そのうち少なくとも１つが用いられて封印処理が行われる。
【００５８】
ボックス封印部１６４はボックスベースとボックスカバーとを開封不能に結合する構成であれば任意の構成が適用できるが、ボックス封印部１６４を構成する係止孔部に係止ピンを挿入することでボックスベースとボックスカバーとが開封不能に結合されるようになっている。ボックス封印部１６４による封印処理は、その封印後の不正な開封を防止し、また万一不正開封が行われてもそのような事態を早期に且つ容易に発見可能とするものであって、一旦開封した後でも再度封印処理を行うこと自体は可能である。すなわち、複数のボックス封印部１６４のうち、少なくとも１つの係止孔部に係止ピンを挿入することにより封印処理が行われる。そして、収容した主制御基板の不具合発生の際や主制御基板の検査の際など基板ボックス１６３を開封する場合には、係止ピンが挿入されたボックス封印部と基板ボックス１６３本体との連結部分を切断する。これにより、基板ボックス１６３のボックスベースとボックスカバーとが分離され、内部の主制御基板を取り出すことができる。その後、再度封印処理する場合は他の係止孔部に係止ピンを挿入する。基板ボックス１６３の開封を行った旨の履歴を当該基板ボックス１６３に残しておけば、基板ボックス１６３を見ることで不正な開封が行われた旨が容易に発見できる。
【００５９】
基板ボックス１６３と取付台１６１とは台座封印部１６５によって開封不能に連結されている。詳しくは、台座封印部１６５は、ボックス封印部１６４と同様に係止孔部及び係止ピンを有しており、係止孔部に対して係止ピンが挿入されることで基板ボックス１６３と取付台１６１とが分離不能に結合されるようになっている。これにより、基板ボックス１６３の不正な取り外しが行われた場合に、その事実を把握しやすくなっている。
【００６０】
台座部材１４１において遊技盤８０の背面と対向している部分には、前記一般入賞口８１，可変入賞装置８２，上作動口８３ａ，下作動口８３ｂの遊技盤開口部に対応し且つ下流側で１カ所に集合する回収通路が形成されている。これにより、一般入賞口８１等に入賞した遊技球は何れも回収通路を介して遊技盤８０の下方に集合する構成となっている。つまり、台座部材１４１には各種入賞口に入賞した遊技球を回収する機能が付与されている。
【００６１】
遊技盤８０の下方には後述する排出通路が配されており、回収通路によって遊技盤８０の下方に集合した遊技球は排出通路内に導出される。なお、アウト口８６についても同様に排出通路に通じており、何れの入賞口にも入賞しなかった遊技球はアウト口８６を介して排出通路内に導出される。
【００６２】
また、上記回収通路には、遊技盤８０表側の一般入賞口８１に入賞した遊技球を検知する入賞口スイッチと、可変入賞装置８２に入賞した遊技球を検知するカウントスイッチと、作動口８３ａ，８３ｂに入った遊技球を検知する作動口スイッチとが装着されており、それら各種スイッチによって入賞検知機構が構成されている。更に、台座部材１４１において可変表示ユニット８５の左右両側には、スルーゲート８４を通過する遊技球を検知するゲートスイッチが設けられている。これら各種スイッチは主制御装置１６２に対して電気的に接続されており、各スイッチによる検知情報が同主制御装置１６２に出力される構成となっている。
【００６３】
次に、図９及び図１０に基づき裏パックユニット１５について説明する。図９はパチンコ機１０の背面図、図１０は裏パックユニット１５の正面図である。
【００６４】
図９に示すように、内枠１３は裏パックユニット１５によって後方から覆われている。裏パックユニット１５は、裏パック２０１を備えており、当該裏パック２０１に対して、払出機構部２０２、排出通路盤及び制御装置集合ユニット２０４が取り付けられている。
【００６５】
裏パック２０１は透明性を有する合成樹脂により成形されており、図１０に示すように払出機構部２０２などが取り付けられるベース部２１１と、パチンコ機１０後方に突出し略直方体形状をなす保護カバー部２１２とを有する。保護カバー部２１２は左右側面及び上面が閉鎖され且つ下面のみが開放された形状をなし、少なくとも可変表示ユニット８５を囲むのに十分な大きさを有する（図９参照）。
【００６６】
ベース部２１１には、その右上部に外部端子板（図示略）が設けられている。外部端子板には各種の出力端子が設けられており、これらの出力端子を通じて遊技ホール側の管理制御装置に対して各種信号が出力される。また、ベース部２１１にはパチンコ機１０後方からみて右端部に上下一対の掛止ピン２１４が設けられており、掛止ピン２１４を内枠１３に設けられた前記軸受け部１３３に挿通させることで、裏パックユニット１５が内枠１３に対して回動可能に支持されている。ベース部２１１には、内枠１３に設けられた固定レバー１３４が挿通される複数の挿通部２１５が形成されており、固定レバー１３４が挿通部２１５に挿通された状態にてベース部２１１に後方から当接することにより内枠１３に対して裏パックユニット１５が固定されている。
【００６７】
ベース部２１１には、保護カバー部２１２を迂回するようにして払出機構部２０２が配設されている。払出機構部２０２には、裏パック２０１の最上部に配されているとともに上方に開口したタンク２２１が設けられており、遊技ホールの島設備から供給される遊技球がそのタンク２２１に逐次補給される。タンク２２１の下方には、下流側に向けて緩やかに傾斜するタンクレール２２２が連結され、タンクレール２２２の下流側には上下方向に延びるケースレール２２３が連結されている。ケースレール２２３の最下流部には払出装置２２４が設けられている。払出装置２２４より払い出された遊技球は、当該払出装置２２４の下流側に設けられた図示しない払出通路を通じて、裏パック２０１のベース部２１１に設けられた遊技球分配部２２５に供給される。
【００６８】
遊技球分配部２２５は、払出装置２２４より払い出された遊技球を上皿２７ａ、下皿２８ａ又は後述する排出通路の何れかに振り分けるための機能を有し、内側の開口部が上述した本体側上皿通路１２２及び前扉側上皿通路５１を介して上皿２７ａに通じ、外側の開口部が本体側下皿通路１２３及び前扉側下皿通路５２を介して下皿２８ａに通じるように形成されている（図７及び図１４参照）。
【００６９】
ベース部２１１の下端部には、当該下端部を前後に挟むようにして排出通路盤及び制御装置集合ユニット２０４が取り付けられている。排出通路盤には、制御装置集合ユニット２０４と対向する面に後方に開放された排出通路が形成されており、当該排出通路の開放部は制御装置集合ユニット２０４によって塞がれている。排出通路は、遊技ホールの島設備等へ遊技球を排出するように形成されており、上述した回収通路等から排出通路に導出された遊技球は当該排出通路を通ることでパチンコ機１０外部に排出される。
【００７０】
図１０に示すように、制御装置集合ユニット２０４は、横長形状をなす取付台２４１を有し、取付台２４１に払出制御装置２４２と電源・発射制御装置２４３とが搭載されている。これら払出制御装置２４２と電源・発射制御装置２４３とは、払出制御装置２４２がパチンコ機１０後方となるように前後に重ねて配置されている。
【００７１】
払出制御装置２４２においては基板ボックス２４４内に払出装置２２４を制御する払出制御基板が収容されており、当該払出制御基板に設けられた状態復帰スイッチ２４５が基板ボックス２４４外に突出している。例えば、払出装置２２４における球詰まり等、払出エラーの発生時において状態復帰スイッチ２４５が押されると、球詰まりの解消が図られるようになっている。
【００７２】
電源・発射制御装置２４３は、基板ボックス２４６内に電源・発射制御基板が収容されており、当該基板により、各種制御装置等で要する所定の電源が生成されて出力され、さらに遊技者による遊技球発射ハンドル２９の操作に伴う遊技球の打ち出しの制御が行われる。また、電源・発射制御装置２４３にはＲＡＭ消去スイッチ２４７が設けられている。本パチンコ機１０は各種データの記憶保持機能を有しており、万一停電が発生した際でも停電時の状態を保持し、停電からの復帰の際には停電時の状態に復帰できるようになっている。したがって、例えば遊技ホールの営業終了の場合のように通常手順で電源を遮断すると遮断前の状態が記憶保持されるが、ＲＡＭ消去スイッチ２４７を押しながら電源を投入すると、ＲＡＭデータが初期化されるようになっている。
【００７３】
（遊技盤８０の取付構造）
ここで、図５，図１１及び図１２に基づき遊技盤８０の取付構造について説明する。図１１は内枠１３から遊技盤８０を取り外した状態を示す斜視図、図１２は図５のＡ−Ａ線部分断面図である。
【００７４】
遊技盤８０は、既に説明したように内枠１３の遊技盤収容部７３に対して同内枠１３の正面側から嵌まっている（図５参照）。図１１に示すように、遊技盤収容部７３は、遊技盤８０の背面に対向する平板状の対向板部２５１と、同対向板部２５１から起立し遊技盤８０の周縁に沿って延びる周壁部２６１とによって構成されている。対向板部２５１は、その略中央に上述した中央開口７４が形成されて内枠１３の正面視において略矩形枠状をなしている。周壁部２６１は、遊技盤８０における上下左右の各端面に対して個々に対向する上側壁部２６２，下側壁部２６３，左側壁部２６４，右側壁部２６５が連なってなり、全体として遊技盤８０を囲む環状をなしている。なお、周壁部２６１は中央開口７４を囲むようにして形成されているとも言える。
【００７５】
内枠１３の左側壁部２６４、すなわち前面扉１４を支持している側の壁部２６４には、遊技盤８０の前方への変位を抑える複数のストッパ部２７１が設けられている。各ストッパ部２７１は、左側壁部２６４の内壁面から遊技盤収容部７３側へ張り出しており、遊技盤８０（詳しくは後述する第２レールカバー４００）に対してパチンコ機１０の前方から当接している。また、各ストッパ部２７１は、遊技盤収容部７３内に収められており、前面扉１４側への突出が抑えられている。
【００７６】
それらストッパ部２７１は、遊技盤８０の上端寄り及び下端寄りとなる位置に配置されており、遊技盤８０の変位をバランスよく抑えることが可能となっている。ストッパ部２７１の配置に関して補足すれば、上端寄りのストッパ部２７１Ｕは、上記誘導レール１００において遊技盤８０の回動基端側に凸となっている部分よりも上側に配置されており、下端寄りのストッパ部２７１Ｌは同凸となっている部分よりも下側に配置されている。これにより、ストッパ部２７１及び誘導レール１００を遊技盤８０の前面側にて好適に共存させ、ストッパ部２７１の採用に起因した遊技領域ＰＥの圧迫を抑制している。
【００７７】
内枠１３には、左側壁部２６４の先端縁に沿うようにして金属製のプレート部材２８１が配設されている。プレート部材２８１は、内枠１３の上側枠部１３ａ及び下側枠部１３ｂの両枠部に跨って延びる長尺状をなしており、同プレート部材２８１の両端部分が内枠１３の左側枠部１３ｃに対して固定（ネジ止め）されているとともに、同プレート部材２８１の中間部分が上述したストッパ部２７１に対して固定（ネジ止め）されている。これにより、内枠１３において外枠１１や前面扉１４に連結されている部分を補強し、更にはストッパ部２７１の変形を抑制している。
【００７８】
以上詳述したストッパ部２７１と対向板部２５１とによって、遊技盤８０の一側部を挿入可能な挿入部２９０が構成されている（図１２参照）。挿入部２９０は、前面扉１４の回動基端側に位置し、内枠１３において同前面扉１４を支持している側とは反対側からの遊技盤８０の挿入を許容すべく同内枠１３の回動先端側（右側壁部２６５側）に開放されている。特にストッパ部２７１と対向板部２５１（詳しくは後述するリブを除いた部分）との隙間寸法は、遊技盤８０の厚さ寸法よりも大きく設定されている。これにより、遊技盤８０を挿入部２９０に対して斜め前方から挿入可能とするとともに、同挿入部２９０に挿入された遊技盤８０を当該挿入部２９０を中心として回動可能としている。また、挿入部２９０の挿入口を斜め前方に向けることにより、遊技盤挿入時に遊技盤８０が前面扉１４の後方への張出部分や内枠１３の右側枠部１３ｄ（図１１参照）等に干渉することを抑制している。
【００７９】
なお、ストッパ部２７１の先端部において遊技盤８０と対向している部位には面取りが施されており、挿入部２９０の入口部分が拡張されている。これにより、上記隙間寸法を大きくし、遊技盤８０を斜めに挿入する際のストッパ部２７１と遊技盤８０との引っ掛かりを抑制している。
【００８０】
挿入部２９０（ストッパ部２７１群）の下方、詳しくは内枠１３において左側壁部２６４と下側壁部２６３とが交わる位置には（図１１参照）、挿入部２９０に挿入された遊技盤８０を仮置き可能な仮置き部１２５が設けられている。仮置き部１２５は、上記通路形成部材１２１に形成され、挿入部２９０側（上方）を向く面状をなしている。なお、仮置き部１２５は、必ずしも通路形成部材１２１に形成する必要はなく、樹脂ベース７０に形成することも可能である。
【００８１】
仮置き部１２５は、遊技盤収容部７３の下側壁部２６３よりも上側に位置しているとともに、遊技盤８０の下端部に対して対向している。一方、遊技盤８０における回動基端側の下隅部にはこの仮置き部１２５に対応した切欠き部８８が形成されている（図６参照）。遊技盤８０を挿入部２９０に挿入し回動させる場合には、この仮置き部１２５に対して遊技盤８０の切欠き部８８が仮置き（一時的に載置）されることで同遊技盤８０の重量の少なくとも一部が内枠１３の樹脂ベース７０によって支えられることとなる。これにより、遊技盤８０を装着する際の作業負担を減らし、遊技盤８０の回動操作の容易化を図っている。
【００８２】
また、仮置き部１２５は、挿入部２９０によりも同挿入部２９０の開放先側に延びている。これにより、挿入部２９０に挿入する前に遊技盤８０を仮置き可能となっており、更なる作業の容易化に貢献している。
【００８３】
遊技盤８０を着脱する際には、内枠１３の正面側から作業が行われる。この際、言うまでも無く前面扉１４が開放された状態で作業が行われる。ここで、開放された前面扉１４と遊技盤８０及び挿入部２９０との位置関係について図１３に基づき説明を補足する。図１３は、開放された前面扉１４と遊技盤８０及び挿入部２９０との位置関係を示す概略図である。
【００８４】
図１３に示すように、前面扉１４は内枠１３に設けられた上記支持金具７１，７２によって回動可能に軸支されており、この軸支された部分（回動中心軸線ＣＬ）を中心として開閉される構成となっている。支持金具７２には前面扉１４の最大開放位置を規定する規定部７２ａが形成されている。前面扉１４が開放され、規定部７２ａに対して当たった場合には、それ以上の開放が不可となる。本実施の形態においては、前面扉１４の最大開放量が凡そ１００°に設定されている。これは、パチンコ機１０がホール等の島設備に設置された状態にて前面扉１４が開放された場合に、隣接して設けられた他の遊技機等に対して同前面扉１４が干渉しないように、また隣接する遊技機での遊技を妨げないようにするための工夫である。なお、前面扉１４の最大開放量は１００°に限定されるものではない。少なくとも遊技盤８０の着脱が許容される範囲であれば任意に設定してよい。
【００８５】
前面扉１４の回動中心軸線ＣＬは同前面扉１４の前面寄りに位置しており、前面扉１４を閉じた状態にて内枠１３の内側に当該前面扉１４の回動基端部分が嵌まり込む構成となっている。これにより、前面扉１４と内枠１３との境界部位（特に前面扉１４の回動基端側の境界部位）を介して不正具が挿入されるといった不都合を生じにくくし、防犯機能の強化を図っている。
【００８６】
この回動中心軸線ＣＬの後方に上記挿入部２９０が配置されている。前面扉１４は所定の厚さを有しているため、上述の如く最大開放位置まで開放された場合であってもその背面の一部が挿入部２９０よりも右側（前面扉１４を支持している側とは反対側）に張り出した状態となる。挿入部２９０は、その張出部分よりも奥まった位置に存在しているものの、遊技盤８０を出し入れする際に当該遊技盤８０の通過する軌道ＰＬと前面扉１４との干渉が回避されるようにしてその挿入口の向きが定められている。これにより、遊技盤８０を装着する際の前面扉１４の張り出し部分と遊技盤８０との干渉が抑えられている。
【００８７】
（誘導レール１００の保護に関する構成）
しかしながら、上述の如く挿入部２９０の挿入口の向きを工夫したとしても、上記干渉の発生機会を減らすことは可能ではあるが、遊技盤８０の挿入方向のばらつきや前面扉１４の開放不足等に起因した同干渉の発生を完全に払拭することは難しいと想定される。つまり、作業ばらつきに起因した干渉の発生を挿入口等の工夫のみで抑えることは難しいと考えられる。更には、遊技盤８０を着脱可能な構成を採用しているため、遊技盤８０の輸送時等に遊技盤８０をぶつける可能性もあり、遊技盤８０の保護機能には改善の余地がある。
【００８８】
特に、遊技領域ＰＥを区画している誘導レール１００については、遊技盤８０の前面から突出しているだけでなく同遊技盤８０において挿入部２９０側に位置しているため、同誘導レール１００等によって囲まれている釘８７等の各種構成と比較して、上記干渉の対象になりやすいと想定される。また、誘導レール１００は挿入部２９０とは反対側、すなわち遊技盤８０の回動先端側に開放された弧状をなしており、遊技盤８０の前面にはその開放部位を塞ぎ誘導レール１００と共に遊技領域ＰＥを区画するブロック状の遊技領域区画部材１０８が設けられている。言い換えれば、誘導レール１００と遊技領域区画部材１０８とは、前者が遊技盤８０の回動基端側、後者が遊技盤８０の回動先端側に配置されることで両者併せて環状をなしている。このように誘導レール１００が回動基端側に配置されているため、誘導レール１００は遊技領域区画部材１０８と比較しても上記干渉が発生しやすいと想定される。
【００８９】
既に説明したように誘導レール１００には遊技球発射機構１１０から発射された遊技球を遊技領域ＰＥに導く機能が付与されている。このため、誘導レール１００に上記干渉に起因した変形等が発生した場合には、遊技領域区画部材１０８に同様の変形が生じた場合と比較して、遊技球の動きに対する影響が大きくなると想定される。そこで、本実施の形態においては、第１レールカバー３５０及び第２レールカバー４００によって誘導レール１００を遊技領域ＰＥの外側から覆う構成とすることにより、誘導レール１００を上記干渉等から保護している。
【００９０】
第１レールカバー３５０及び第２レールカバー４００は、透明性を有する合成樹脂材料を用いて遊技盤８０とは別体で形成されており、図６に示すように同遊技盤８０の前面から前方へ突出した状態で当該遊技盤８０に固定されている。より詳しくは、両レールカバー３５０，４００は、遊技盤８０の前面において遊技領域ＰＥの外側となる領域、詳しくは遊技盤８０における挿入部２９０側の端部と誘導レール１００（詳しくは外レール１０２）との間に、第１レールカバー３５０が誘導レール１００の入口部分１０４寄りとなるように並べて配置されている。
【００９１】
図６に示すように、第１レールカバー３５０は、遊技盤８０の前面と対向する（詳しくは面当たりする）平板状のベース部３６０を有している。ベース部３６０は、誘導レール１００の入口部分１０４から外レール１０２において挿入部側（左側）に凸となっている部分の頂部１０２ａの手前となる位置にまで外レール１０２に沿って延びている。ベース部３６０には、当該ベース部３６０から外レール１０２と同一側（すなわちパチンコ機１０の前方）に起立する起立部３７０が一体成形されている。起立部３７０は、外レール１０２に対して遊技領域ＰＥとは反対側から対向する壁状をなし、当該起立部３７０の前端縁が外レール１０２の前端縁よりも前方に突出するように形成されている。この起立部２７０によって、外レール１０２、すなわち上記誘導通路１０３を構成している部分が挿入部２９０側から覆われた状態となっている。
【００９２】
第１レールカバー３５０よりも、誘導レール１００の出口部分１０５寄りとなる位置に第２レールカバー４００が配置されており、これら第１レールカバー３５０及び第２レールカバー４００によって誘導通路１０３のほぼ全域が遊技盤８０の挿入方向先側から覆われている。
【００９３】
以下、図１４及び図１５に基づき第２レールカバー４００について詳しく説明する。図１４は図６の部分拡大図、図１５は第２レールカバー４００の構成を示す斜視図である。なお便宜上、図１４においては２点鎖線を用いて内枠１３を示し、図１５においては２点鎖線を用いて遊技盤８０を示している。
【００９４】
図１４に示すように、第２レールカバー４００は、遊技盤８０の前面において遊技領域ＰＥの外側となる領域、詳しくは遊技盤８０における挿入部２９０側の端部と誘導レール１００（詳しくは外レール１０２）との間に配されており、同端部に沿って延びる縦長状をなしている。
【００９５】
第２レールカバー４００は、第１レールカバー３５０と同様に、遊技盤８０の前面と対向する（詳しくは面当たりする）平板状のベース部４１０を有している。ベース部４１０は、遊技盤８０の縁部に沿って上下に延びており、同ベース部４１０の上端が外レール１０２において挿入部側（左側）に凸となっている部分の頂部１０２ａよりも上方、且つ同ベース部４１０の下端が頂部１０２ａよりも下方に位置するように形成されている。ベース部４１０における外レール１０２側の縁部は、その中央部分が同外レール１０２に沿って湾曲しており、外レール１０２とは反対側の縁部は遊技盤８０の縁部に沿って直線状に延びている。つまり、ベース部４１０は自身の長手方向における中央部分にて幅が狭くなるように括れている（図１５参照）。
【００９６】
ベース部４１０には、当該ベース部４１０から外レール１０２と同一側（すなわちパチンコ機１０の前方）に起立する起立部４２０が一体成形されている。起立部４２０は、外レール１０２に対して遊技領域ＰＥとは反対側から対向する壁状をなし、当該起立部４２０の前端縁が外レール１０２の前端縁よりも前方に突出するように形成されている。この起立部４２０によって、外レール１０２において挿入部２９０側に凸となっている部分、すなわち上記誘導通路１０３を構成している部分が同挿入部２９０側から覆われた状態となっている。
【００９７】
起立部４２０は、ベース部４１０における湾曲部分に沿って形成された湾曲部４２１を有している。湾曲部４２１は、外レール１０２に対して平行、且つ同外レール１０２との間に僅かな隙間が確保されるように構成されている。また、起立部４２０は、湾曲部４２１の上端から上方に延びているとともに、同湾曲部４２１の下端から下方に延びている。以下便宜上、起立部４２０において湾曲部４２１よりも上側となる部分を「上側起立部４２２」と称し、同湾曲部４２１よりも下側となる部分を「下側起立部４２３」と称する。
【００９８】
上側起立部４２２及び下側起立部４２３は、上下に延びる平板状をなしており、上記頂部１０２ａから離れるにつれて外レール１０２との隙間が大きくなるように形成されている。この隙間の拡がりに合わせて、ベース部４１０が起立部４２０よりも外レール１０２側に延出している。つまり、湾曲部４２１がベース部４１０における外レール１０２側の縁部に沿って形成されているのに対して、上側起立部４２２及び下側起立部４２３はベース部４１０の幅方向における略中央に位置するように形成されている。以下便宜上、ベース部４１０において起立部４２０よりも外レール１０２側となる部分を「内側ベース部４１１」、同ベース部４１０において起立部４２０よりも挿入部２９０側となる部分を「外側ベース部４１２」と称する。
【００９９】
図１３に示すように、内側ベース部４１１及び外側ベース部４１２には第２レールカバー４００の固定手段を構成するネジ孔４１３，４１４が形成されている。これらネジ孔４１３，４１４に挿通されたネジ４１６，４１７（図１４参照）が遊技盤８０に対して螺着されることにより、第２レールカバー４００と遊技盤８０とが一体化されている。
【０１００】
図１４に外側ベース部４１２に設けられているネジ孔４１４及びネジ４１７は、内側ベース部４１１に設けられているネジ孔４１３及びネジ４１６よりも湾曲部４２１寄りとなるように第２レールカバー４００の長手方向（上下方向）にずらして配されている。これは限られたスペースにて第２レールカバー４００の固定強度を向上させるための工夫である。
【０１０１】
上側起立部４２２における湾曲部４２１とは反対側の端部（上端部）には、挿入部２９０側に突出するアーム部４３０が形成されている。アーム部４３０は上記ストッパ部２７１の上面２７２と若干の隙間を挟んで対向しており、その対向している部分にはストッパ部２７１側に凸となる突起４３１が形成されている。この突起４３１に対応させてストッパ部２７１の上面２７２には下方に凹んだ受け部２７５が形成されており、その受け部２７５に突起４３１が引っ掛かった状態となっている。
【０１０２】
突起４３１において挿入部２９０側を向いている部分にはアーム部４３０の先端部分から根元部分に向けて下り傾斜する傾斜面４３２が形成されており、遊技盤８０を挿入部２９０に挿入する際には傾斜面４３２がストッパ部２７１の上面２７２及び側面２７３の境界部位に当たる。これにより、アーム部４３０が根元部分（上側起立部４２２と繋がっている部分）を基端として撓み変形し、突起４３１がストッパ部２７１の上面２７２へと導かれる。この後、アーム部４３０が弾性力によって変形前の状態に復帰することにより、突起４３１が受け部２７５に引っ掛かることとなる。このようにして突起４３１が受け部２７５に対して引っ掛かることにより、挿入部２９０からの遊技盤８０の脱落が阻止される。
【０１０３】
既に説明したように、突起４３１が受け部２７５に対して引っ掛かっている状態では、遊技盤８０がそれら突起４３１及び受け部２７５の引っ掛かり位置よりも回動先端側にて仮置き部１２５に載っている。つまり、遊技盤８０が仮置き部１２５によって支えられた状態にて、遊技盤８０の脱落が阻止されている。これにより、遊技盤８０の重さ等による負荷が突起４３１や受け部２７５に集中することを好適に回避している。
【０１０４】
ここで、図１２及び図１４に基づき第２レールカバー４００と挿入部２９０との関係について補足説明する。図１４に示すように、遊技盤８０が内枠１３に対して装着された状態では、挿入部２９０（詳しくはストッパ部２７１）が第２レールカバー４００の上側起立部４２２及び下側起立部４２３の側方に位置し、第２レールカバー４００の外側ベース部４１２が挿入部２９０に嵌まっている。
【０１０５】
外側ベース部４１２は、ストッパ部２７１の背面２７４に対してパチンコ機１０の後方から当接している。外側ベース部４１２においてストッパ部２７１に当接している部分には、起立部４２０とは反対側（遊技盤８０側）に突出する突出部４４０が一体成形されている。突出部４４０は遊技盤８０の厚さ方向に延びる筒状をなしており、遊技盤８０にはこれら突出部４４０が嵌合する嵌合孔８９が形成されている。嵌合孔８９は遊技盤８０の前面側及び背面側に開放されており、突出部４４０の先端部分が同嵌合孔８９を通じて遊技盤８０の背面側に突出している。
【０１０６】
突出部４４０には第２レールカバー４００（詳しくは起立部４２０等）に加わった負荷を当該突出部４４０を通じて遊技盤８０へ分散させる分散機能が付与されており、第２レールカバー４００の特定箇所に負荷が集中することを抑制している。特に突出部４４０は、第２レールカバー４００の長手方向に拡がる縦長状をなしていることで、起立部４２０に対して同起立部４２０の根元部分を基端とした傾きが生じるような負荷が加わった場合に、そのような負荷を好適に分散させることが可能となっている。
【０１０７】
図１２に示すように、内枠１３の対向板部２５１においてストッパ部２７１よりも遊技盤８０の回動先端寄りとなる部分、詳しくは中央開口７４側の縁部には、同縁部から前方に起立するリブが形成されており、このリブに対して突出部４４０が当接している。このように、突出部４４０の先端部分が対向板部２５１のリブに当接することで、遊技盤収容部７３の奥側への遊技盤８０の変位が規制されている。
【０１０８】
本実施の形態においては特に、挿入部２９０の前後幅寸法が遊技盤８０の厚さ寸法、詳しくはベース部４１０の前面から突出部４４０の先端までの前後寸法よりも僅かに小さく設定されており、遊技盤８０を装着完了位置に配置した状態では、遊技盤８０が挿入部２９０に対して強干渉した状態となる。このように、挿入部２９０に対して遊技盤８０を強干渉させることにより、遊技盤８０の前後位置のばらつきを抑えることが可能となっている。
【０１０９】
しかしながら、このような構成を採用する場合、挿入部２９０への遊技盤８０の挿入が難しくなることは好ましくない。そこで、上述の如く第２レールカバー４００のベース部４１０とストッパ部２７１との当接箇所よりも、同第２レールカバー４００の突出部４４０と対向板部２５１のリブとの当接箇所のほうが、遊技盤８０の回動先端側に位置する構成とすることにより、遊技盤８０の挿入を容易化しつつ、装着完了位置に配置した状態での位置ばらつきを好適に抑制することが可能となっている。
【０１１０】
（隙間の拡がり規制に関する構成）
本実施の形態においては特に、遊技盤８０が装着された状態、すなわち同遊技盤８０の前後位置がストッパ部２７１や上記ロック装置７９によって規定されている状態にて前面扉１４が閉じている場合に、当該遊技盤８０とガラスユニット３０（詳しくはガラスパネル３２）との隙間の拡がりを規制する規制機構を備えていることを特徴の１つとしている。以下、図１２，図１３，図１６及び図１７に基づき規制機構について詳しく説明する。図１６は第２レールカバー４００とガラスユニット３０との位置関係を示す概略図、図１７は図５のＢ−Ｂ線部分断面図である。なお、図１６においては、便宜上ガラスユニット３０の一部を２点鎖線及びドットハッチングを用いて表している。また、図１７においては、便宜上前面扉１４に関する構成についても併せて表示している。
【０１１１】
図１２に示すように、起立部４２０の湾曲部４２１には、その前端縁から外レール１０２側に突出し、遊技盤８０に対して同外レール１０２を挟んで対向する対向部４５０が形成されている。対向部４５０は、上側起立部４２２と下側起立部４２３とに跨るように形成さており、湾曲部４２１の補強機能が付与されている。
【０１１２】
図１６に示すように、対向部４５０は、湾曲部４２１の中央寄りに配された第１対向部４５１と、両起立部４２２，４２３寄りに配された第２対向部４５２，４５３とを有している。より詳しくは、対向部４５０は、図１３に示すように、第１対向部４５１が遊技盤８０側且つ第２対向部４５２，４５３が前面扉１４側となる段差状に形成されている。
【０１１３】
図１７に示すように、第１対向部４５１は外レール１０２の前端縁に対して僅かな隙間を隔てて対向しており、第２対向部４５２，４５３は同外レール１０２の前端縁に対して第１対向部４５１よりも大きな隙間を隔てて対向している。この外レール１０２と第２対向部４５２との隙間に前面扉１４の一部が嵌まっている。
【０１１４】
より具体的には、既に説明したように前面扉１４のガラスホルダ３３は遊技盤８０の外周縁に沿って形成された環状をなしており、遊技盤８０の前方に配されている。ガラスホルダ３３の枠部３４は、同枠部３４における遊技盤８０側の縁部が第２レールカバー４００の対向部４５０よりも遊技盤８０の前面寄りとなるように、ガラスユニット設置部２２から遊技盤８０側に張り出している。枠部３４において第２レールカバー４００に遊技領域ＰＥ側から対向している部分には、同第２レールカバー４００へ向けて延出する延出部３９が形成されている。
【０１１５】
延出部３９は、枠部３４の外壁面から第２レールカバー４００の湾曲部４２１へ向けて延びる平板状をなしており、少なくともその先端部分が第２対向部４５２と外レール１０２との隙間に嵌まっている。延出部３９の板面は、遊技盤８０及びガラスユニット３０の並設方向（前後方向）と直交しているとともに、第２対向部４５２に対して僅かな隙間を隔ててパチンコ機１０の後方から対向している。また、同延出部３９の板面は後側のガラスパネル３２の後側の板面と略同一の仮想平面上に位置している。つまり、延出部３９と後側のガラスパネル３２とが略面一となるように形成されている。なお、延出部３９が第２対向部４５２に対してパチンコ機１０の後方から当接する構成とすることも可能である。
【０１１６】
ガラスユニット３０及び遊技盤８０のうち少なくとも一方が他方から遠ざかる側に変位した場合には、延出部３９が第２対向部４５２に当接し、ガラスユニット３０（詳しくは後側のガラスパネル３２）と遊技盤８０との隙間の拡がりが規制される。特に延出部３９の先端部分は、湾曲部４２１に沿うように湾曲しており、第２対向部４５２，４５３に対する掛かり代ができるだけ大きくなるように工夫されている。
【０１１７】
本実施の形態においては、上述した隙間規制に関する構成に併せてガラスユニット３０の取付構造に関する特徴的な構成が採用されている。ここで、図１８に基づき、ガラスユニット３０の取付構造について説明する。図１８は、枠体２０に対するガラスユニット３０の取付構造を示す部分断面図である。
【０１１８】
図１８に示すように、前面扉１４の枠体２０にはガラスユニット３０（詳しくは取付部３５）を保持する保持部５７が設けられている。保持部５７は内枠１３側に凸となる円柱状をなしており、上記取付部３５には同保持部５７が挿入される挿入部４１が形成されている。より具体的には、保持部５７の中心軸線は前後方向に延びており、挿入部４１は同保持部５７と同一方向に延びる有底の丸穴状をなしている。挿入部４１に対して保持部５７が嵌ることにより、ガラスユニット３０の前後方向への移動、すなわち前面扉１４と内枠１３との並設方向と同じ方向へのスライド移動が許容されている。
【０１１９】
また、取付部３５において挿入部４１の底部を形成している部分には貫通孔４２が形成されている。貫通孔４２にはネジ４５が挿入されており、同貫通孔４２に挿通されたネジ４５の先端部分が保持部５７に形成されたネジ穴５８に螺着されている。
【０１２０】
ネジ４５の頭部４５ａは、取付部３５に対して内枠１３側から隙間を隔てて対向しており、この頭部４５ａによって枠体２０からのガラスユニット３０の脱落が阻止されている。このように、ネジ４５に枠体２０からのガラスユニット３０の脱落を阻止する機能が付与されている点に着目すれば、同ネジ４５を「ストッパ４５」と称することも可能である。
【０１２１】
ネジ４５には「付勢手段」としてのコイルバネ４６が挿通されている。コイルバネ４６は、頭部４５ａと取付部３５とによって挟まれて圧縮された状態となっており、このコイルバネ４６によって取付部３５が枠体２０側（すなわちパチンコ機１０における前方）に付勢されている。つまり、コイルバネ４６によってガラスユニット３０が遊技盤８０の正面側に向けて付勢されている。
【０１２２】
取付部３５において頭部４５ａと対向している部分には、コイルバネ４６が嵌まるバネ用凹部４３が形成されている。ガラスユニット３０が後方へスライド移動した場合には、コイルバネ４６が圧縮されてバネ用凹部４３に嵌まることにより、ネジ４５の頭部４５ａが取付部３５に対して後方から当接することとなる。つまり、ガラスユニット３０のスライドストローク量Ｌ１は取付部３５とネジ４５の頭部４５ａとの隙間によって規定されている。
【０１２３】
ここで、再び図１７を参照し、ガラスユニット３０とガラスユニット設置部２２との関係について説明を補足する。既に説明したようにガラスユニット設置部２２は凹状をなしており、同ガラスユニット設置部２２に対してガラスユニット３０が後方から嵌まっている。ガラスユニット設置部２２を構成している略環状の周壁部２２ａ、詳しくは内枠１３側に起立するとともに窓部２１を囲むように形成された周壁部２２ａと、ガラスユニット３０との同ガラスユニット３０のスライド方向に対して直交する方向での重なり代Ｌ２は、上記スライドストローク量Ｌ１よりも大きく設定されている。これにより、ガラスユニット３０がネジ４５の頭部４５ａに当接している場合であっても、ガラスユニット３０とガラスユニット設置部２２（詳しくは周壁部２２ａ）との重なりが担保されることとなる。
【０１２４】
以上詳述したようにガラスユニット３０のスライド移動を許容する構成を採用した場合、同ガラスユニット３０がスライドすることで当該ガラスユニット３０のガラスパネル３２と遊技盤８０の遊技領域ＰＥに配された釘８７等の各種構成とが干渉することは好ましくない。そこで本実施の形態においては、そのような不都合を回避するための各種工夫が施されている。以下、その一例について説明する。
【０１２５】
図１８に示すように、内枠１３に固定されたプレート部材２８１には、前面扉１４が閉じている場合に取付部３５に対して遊技盤８０側から当接する当接部２８２が形成されている。当接部２８２が取付部３５に対して当接することにより、ガラスユニット３０の遊技盤８０側へのスライド移動が阻止されることとなる。これにより、遊技領域ＰＥに設けられた各種構成とガラスパネル３２との隙間を維持し、上記干渉等の発生を抑制している。なお、当接部２８２に相当する構成は、ガラスユニット３０の外周に沿うようにして複数配設されている。当接部２８２については、取付部３５を当接対象としたが、これに限定されるものではない。詳細な説明は省略するが、他の当接部の当接対象は取付部３５以外の部位（例えば枠部３４等）となっている。
【０１２６】
以上詳述したようにガラスユニット３０及び遊技盤８０の隙間の拡がりを規制する構成と、ガラスユニット３０のスライド移動を許容する構成とを併用することにより、ガラスパネル３２と遊技盤８０との位置関係を好適に維持することができ、更には防犯機能の向上が期待される。ここで、図１９に基づき外的に要因により前面扉１４と内枠１３との位置関係が変化した場合のガラスユニット３０と遊技盤８０との位置関係について説明する。図１９は遊技盤８０とガラスユニット３０との位置関係を示す概略図である。
【０１２７】
図１９（ａ）に示すように前面扉１４が内枠１３に対して閉じている状態では、遊技盤８０（詳しくは第２レールカバー４００）の対向部４５０に対してガラスユニット３０の延出部３９が僅かな隙間を隔てて対向している。この状態では、ガラスユニット３０は、コイルバネ４６の付勢力によってスライド範囲のうち最も前寄り（枠体２０寄り）となる位置にて待機している。
【０１２８】
図１９（ａ）→（ｂ）に示すように、内枠１３と前面扉１４との境界部位にバール等の不正具Ｔが挿入され、同境界部位が前後方向へ押し拡げられた場合には、内枠１３から前面扉１４が浮き上がり、同内枠１３と前面扉１４との隙間が部分的に拡張されることとなる。この場合、図１９（ｂ）に示すように、対向部４５０に対して延出部３９が後方から当接することにより、前面扉１４の枠体２０に追従したガラスユニット３０の移動が妨げられる。具体的には、上記コイルバネ４６（図１８参照）が圧縮されることにより、同ガラスユニット３０と枠体２０との相対位置が変化することとなる。つまり、枠体２０が内枠１３から浮き上がったとしてもガラスユニット３０はほぼ元の位置に留まったままとなる。これにより、遊技盤８０（詳しくはその前面）とガラスパネル３２との位置関係が好適に維持される。
【０１２９】
また、内枠１３から枠体２０が浮き上がった場合であっても、同図１９の部分拡大図に示すように、ガラスユニット３０がガラスユニット設置部２２から離脱することは無く、ガラスユニット設置部２２を構成する周壁部２２ａとガラスユニット３０との重なりが維持されることとなる。故に、枠体２０とガラスユニット３０との相対位置の変化によって、それら枠体２０及びガラスユニット３０の隙間が拡がることを抑えることができる。故に、窓部２１→同境界を通じた不正具等の挿入が容易になることを抑制できる。
【０１３０】
ここで、対向部４５０の配置について補足説明する。既に説明したように前面扉１４を同前面扉１４の上端部寄り及び下端部寄りに配置された支持金具７１，７２によって支持している構成において、前面扉１４の回動安定性の向上が期待できる反面、それら両支持金具７１，７２の間となる部位にて、同前面扉１４と内枠１３との境界部位が拡がりやすくなると想定される。この点、本実施の形態における第２対向部４５２は、支持金具７１，７２の間に配置されており、上記規制機能が好適に発揮される。
【０１３１】
また、両第２対向部４５２のうち少なくとも下側の一方は、内枠１３において前面扉１４を支持している側の端部と上記作動口８３との間に配置されている。これにより、作動口８３付近における上記隙間の拡がりを好適に抑制可能となっている。
【０１３２】
（遊技盤８０の交換作業の流れ）
以下、図２０〜図２２に基づき遊技盤８０の交換作業の流れについて説明する。図２０〜図２１は遊技盤８０の交換作業時の様子を概略的に示す斜視図である。なお、便宜上、図２０（ａ）及び図２１（ａ）においては前面扉１４を２点鎖線で示し、他の図においては前面扉１４を省略している。
【０１３３】
遊技盤８０をパチンコ機１０から取り外す際には、図２０（ａ）に示すように前面扉１４を開放した後、ロック装置７９をロック解除状態に切り替える。これにより、遊技盤８０の回動が許容された状態となる。
【０１３４】
遊技盤８０が回動可能となった後は、図２０（ａ）→図２０（ｂ）に示すように、同遊技盤８０を挿入部２９０を中心として手前側に回動させる。この際、遊技盤８０を仮置き部１２５に載せたまま回動させることができるため遊技盤８０を手で支える必要がない。また、遊技盤８０の突起４３１が樹脂ベース７０の受け部２７５に引っ掛かった状態のまま維持され、挿入部２９０からの遊技盤８０の脱落が回避される。つまり、遊技盤８０を所定位置まで回動させたとしても、引っ掛かり維持される。
【０１３５】
次に、図２０（ｂ）→図２０（ｃ）に示すように、遊技盤８０を手で抱える等して上方に持ち上げる。これにより遊技盤８０は仮置き部１２５から離間し、遊技盤８０が作業者によって支えられることとなる。そして、この操作に基づいき突起４３１が受け部２７５から離脱し、上記引っ掛かりが解除される。これにより、挿入部２９０からの遊技盤８０の引き抜き操作が許容される。
【０１３６】
その後、図２０（ｃ）→図２０（ｄ）に示すように、遊技盤８０を挿入部２９０の開放先側へ移動させることで、同遊技盤８０の取り外しが完了する。
【０１３７】
遊技盤８０を装着する際には、図２１（ａ）→図２１（ｂ）→図２１（ｃ）→図２１（ｄ）→図２２（ｅ）→図２２（ｆ）の順に作業が行われる。
【０１３８】
先ず図２１（ａ）に示すように、前面扉１４を最大開放位置へ回動させる。その後、図（ｂ）に示すように、遊技盤８０を抱えて、同遊技盤８０（詳しくは切欠き部８８）を仮置き部１２５に載せる。これにより、遊技盤８０が樹脂ベース７０によって支えられ、同遊技盤８０の重量の少なくとも一部を樹脂ベース７０側に預けることができ、以後の作業の容易なものとすることができる。
【０１３９】
図２１（ｂ）→図２１（ｃ）に示すように遊技盤８０を仮置き部１２５に載せたまま挿入部２９０に向けて押し込むと、具体的には切欠き部８８を支点として、同遊技盤８０の上端を挿入部２９０側に傾倒させると、遊技盤８０の一部が挿入部２９０に嵌まり、その後第２レールカバー４００の突起４３１（詳しくは傾斜面４３２）がストッパ部２７１の上面２７２及び側面２７３の境界に当たる。
【０１４０】
このように傾斜面４３２がストッパ部２７１に当接した状態から遊技盤８０が挿入部２９０の奥側へ向けて更に押し込まれると、アーム部４３０が撓み変形し、上記突起４３１がストッパ部２７１の受け部２７５に誘導される。そして、突起４３１が受け部２７５に引っ掛かることにより、挿入部２９０からの遊技盤８０の脱落が阻止される。このように、遊技盤８０の脱落が阻止された状態では、遊技盤８０の自重が樹脂ベース７０によって支えられることとなり、作業者が遊技盤８０を支える必要がなくなる。
【０１４１】
その後、図２１（ｃ）→図２１（ｄ）に示すように、挿入部２９０を基端として遊技盤８０を回動させることにより同遊技盤８０が遊技盤収容部７３に収容される。遊技盤８０を遊技盤収容部７３に収容した後、ロック装置７９をロック状態に切り替えることで、遊技盤８０の樹脂ベース７０に対する装着作業が完了する。
【０１４２】
遊技盤８０の装着が完了した後は、図２２（ｅ）→図２２（ｆ）に示すように前面扉１４を閉じることで、ガラスユニット３０の延出部３９が、第２レールカバー４００と外レール１０２との間に挿入され、同延出部３９が第２対向部４５２に対して後方から対向した状態となる。これにより、遊技盤８０とガラスユニット３０（詳しくは後側のガラスパネル３２）との隙間の拡がりが規制される。
【０１４３】
次に、パチンコ機１０の電気的構成について、図２３のブロック図に基づき説明する。図２３では、電力の供給ラインを二重線矢印で示し、信号ラインを実線矢印で示す。
【０１４４】
主制御装置１６２に設けられた主制御基板８０１には、主制御回路８０２と停電監視回路８０３とが内蔵されている。主制御回路８０２には、ＭＰＵ８１１が搭載されている。ＭＰＵ８１１には、当該ＭＰＵ８１１により実行される各種の制御プログラムや固定値データを記憶したＲＯＭ８１２と、そのＲＯＭ８１２内に記憶される制御プログラムの実行に際して各種のデータ等を一時的に記憶するためのメモリであるＲＡＭ８１３と、割込回路やタイマ回路、データ入出力回路などの各種回路が内蔵されている。
【０１４５】
ＲＡＭ８１３は、パチンコ機１０の電源の遮断後においても電源・発射制御装置２４３に設けられた電源・発射制御基板８２１からデータ記憶保持用電力が供給されてデータが保持される構成となっている。
【０１４６】
ＭＰＵ８１１には、アドレスバス及びデータバスで構成されるバスラインを介して入出力ポートが接続されている。主制御回路８０２の入力側には、主制御基板８０１に設けられた停電監視回路８０３、払出制御装置２４２に設けられた払出制御基板８２２及びその他図示しないスイッチ群などが接続されている。この場合に、停電監視回路８０３には電源・発射制御基板８２１が接続されており、主制御回路８０２には停電監視回路８０３を介して電力が供給される。
【０１４７】
一方、主制御回路８０２の出力側には、停電監視回路８０３、払出制御基板８２２及び中継端子板８２３が接続されている。払出制御基板８２２には、賞球コマンドなどといった各種コマンドが出力される。中継端子板８２３を介して主制御回路８０２から音声ランプ制御装置１４３に設けられた音声ランプ制御基板８２４に対して各種コマンドなどが出力される。
【０１４８】
停電監視回路８０３は、主制御回路８０２と電源・発射制御基板８２１とを中継し、また電源・発射制御基板８２１から出力される最大電源である直流安定２４ボルトの電源を監視する。
【０１４９】
払出制御基板８２２は、払出装置２２４により賞球や貸し球の払出制御を行うものである。演算装置であるＭＰＵ８３１は、そのＭＰＵ８３１により実行される制御プログラムや固定値データ等を記憶したＲＯＭ８３２と、ワークメモリ等として使用されるＲＡＭ８３３とを備えている。
【０１５０】
払出制御基板８２２のＲＡＭ８３３は、主制御回路８０２のＲＡＭ８１３と同様に、パチンコ機１０の電源の遮断後においても電源・発射制御基板８２１からデータ記憶保持用電力が供給されてデータが保持される構成となっている。
【０１５１】
払出制御基板８２２のＭＰＵ８３１には、アドレスバス及びデータバスで構成されるバスラインを介して入出力ポートが接続されている。払出制御基板８２２の入力側には、主制御回路８０２、電源・発射制御基板８２１、及び裏パック基板８２９が接続されている。また、払出制御基板８２２の出力側には、主制御回路８０２及び裏パック基板８２９が接続されている。
【０１５２】
電源・発射制御基板８２１は、電源部と発射制御部とを備えている。電源部は、二重線矢印で示す経路を通じて、主制御回路８０２や払出制御基板８２２等に対して各々に必要な動作電力を供給する。発射制御部は、遊技者による遊技球発射ハンドル２９の操作にしたがって遊技球発射機構１１０の発射制御を担うものであり、遊技球発射機構１１０は所定の発射条件が整っている場合に駆動される。
【０１５３】
音声ランプ制御基板８２４は、各種ランプ部２３〜２５やスピーカ部２６、及び表示制御装置８２５を制御するものである。演算装置であるＭＰＵ８４１は、そのＭＰＵ８４１により実行される制御プログラムや固定値データ等を記憶したＲＯＭ８４２と、ワークメモリ等として使用されるＲＡＭ８４３とを備えている。
【０１５４】
音声ランプ制御基板８２４のＭＰＵ８４１にはアドレスバス及びデータバスで構成されるバスラインを介して入出力ポートが接続されている。音声ランプ制御基板８２４の入力側には中継端子板８２３に中継されて主制御回路８０２が接続されており、主制御回路８０２から出力される各種コマンドに基づいて、各種ランプ部２３〜２５、スピーカ部２６、及び表示制御装置８２５を制御する。表示制御装置８２５は、音声ランプ制御基板８２４から入力する表示コマンドに基づいて図柄表示装置９４を制御する。
【０１５５】
以上詳述した本実施の形態によれば、以下の優れた効果を奏する。
【０１５６】
遊技盤８０を内枠１３の正面側から着脱可能とすることにより、内枠の背面側から遊技盤を着脱する構成と比較して作業の容易化を促進できる。遊技盤を内枠の背側から着脱する構成を想定した場合、内枠を開放した状態で遊技盤の着脱を行う必要が生じる。この場合、例えば内枠が移動しないように同内枠の移動を手で押さえることで、遊技盤の装着作業を円滑に行うことができる。しかしながら、遊技盤の着脱作業の円滑化のために、内枠を手で押える等した場合には、作業が煩雑化し得る。この点、上記実施の形態に示したように内枠１３を外枠１１に対して閉じた状態で遊技盤８０の着脱作業が可能であれば、押し込み操作等によって内枠１３が移動することを回避できる。これにより、遊技盤８０の着脱作業時に内枠１３を手で押さえるといった予備的作業を不要とし、作業の容易化に貢献できる。なお、裏パックユニット１５の開閉操作を省略することが可能となるため、作業手順の簡略化を図ることもできる。
【０１５７】
遊技盤８０を装着する際には、同遊技盤８０を内枠１３の仮置き部１２５に載せた状態で回動させることが可能となっている。つまり、遊技盤８０の重量の少なくとも一部を内枠１３側に預けることができるため、同遊技盤８０を支えたまま回動させる必要がない。これにより、作業負担の軽減を図っている。
【０１５８】
遊技盤８０を挿入部２９０に挿入することにより同遊技盤８０の突起４３１と樹脂ベース７０の受け部２７５とが引っ掛かり、当該遊技盤８０の挿入部２９０からの脱落が阻止される。このため、例えば上記回動操作中に遊技盤８０から手を離したとしても、それ起因して遊技盤８０の装着作業のやり直しが発生するといった不都合が生じにくくなっている。これにより、作業の容易化に貢献できる。
【０１５９】
また、遊技盤８０の挿入部２９０からの外れを抑制することにより、遊技盤８０の装着軌道のばらつきを抑えることも可能となる。これにより、遊技盤８０を回動させる際に同遊技盤８０が他の構成と干渉することを好適に抑制できる。
【０１６０】
遊技盤８０の装着作業時には、遊技盤８０を挿入部２９０に挿入することによって阻止状態に移行されるため、阻止状態への移行のための別途操作を必要としない。故に、脱落阻止構造を採用することによる遊技盤装着作業の煩雑化を回避することができる。
【０１６１】
上記突起４３１及び受け部２７５は遊技盤８０の前面側に配されている。これにより、遊技盤８０の脱落が阻止されている状態に切り替っているか否かを目視にて確認しやすくなっている。特に、突起４３１を第２レールカバー４００に一体形成することにより、つまり強度を確保する必要がある構成をまとめることにより、遊技盤８０の前面側での占有領域の拡がりを抑えている。この場合、第２レールカバー４００の起立部４２０等によって上記視認性が低下することが懸念されるが、本実施の形態においては第２レールカバー４００を透明とすることにより、起立部４２０を通して突起４３１を視認可能となっている。これにより、占有領域の拡がりを抑えつつ、それに起因した突起４３１等の視認性の低下を抑えている。
【０１６２】
遊技盤８０を回動可能とする場合、例えば同遊技盤８０を回動可能に支持する軸ピンを樹脂ベース７０に設けることも可能である。しかしながら、そのように軸ピンを有する構成を採用した場合、遊技盤８０を軸ピンに挿通するための作業スペースを確保する必要が生じる。具体的には、少なくとも軸ピンの中心軸線の延長上にて上記作業スペースを確保する必要が生じる。例えば、軸ピンを樹脂ベースの前方又は後方へオフセットして配置することにより同樹脂ベースと上記作業スペースとの重なりを回避することも可能であるが、このように軸ピンをオフセットして配置することはパチンコ機１０の薄型化を難しくする要因となり得るため好ましくない。この点、突起４３１及び受け部２７５によって遊技盤８０を回動可能とすれば、上記不都合を回避し、パチンコ機１０の薄型化を促進することができる。
【０１６３】
上述の如く遊技盤８０を樹脂ベース７０に対して着脱可能な構成とすることにより、例えばメンテナンス作業の容易化や遊技盤８０の交換（機種変更等）の容易化に貢献できる。しかしながら、遊技盤８０を着脱可能とすることにより、以下の不都合が生じやすくなると想定される。つまり、遊技盤８０の輸送時に同遊技盤８０がぶつけられたり、遊技盤８０の着脱作業時に同遊技盤８０が前面扉１４や内枠１３等に干渉したりする可能性がある。
【０１６４】
遊技盤８０の前面には釘８７や誘導レール１００等の遊技球の動きに影響を与える部品が配設されており、これらの部品が上記干渉の対象となり変形等が生じた場合には、遊技球の動きが想定外のものとなり得るため好ましくない。特に、誘導レール１００については釘８７等の遊技領域ＰＥに配設された各種構成を囲っているため、それら釘８７等と比べて干渉の対象になりやすいと想定される。また、同誘導レール１００は遊技球発射機構１１０から発射された遊技球を遊技領域ＰＥに誘導する機能を有しており、仮に上記干渉により変形等が生じると、誘導機能が低下すると懸念される。本実施の形態によれば、誘導レール１００をレールカバー３５０，４００によって覆うことにより、誘導レール１００を保護し、上記不都合の発生を抑えることが可能となっている。
【０１６５】
第２レールカバー４００は、誘導レール１００を遊技領域ＰＥの外側且つ遊技盤８０の正面側から覆っている。これにより、誘導レール１００の保護機能の向上が図られている。
【０１６６】
特に、上述の如く前面扉１４と内枠１３（樹脂ベース７０）との間から挿入部２９０へ遊技盤８０を挿入する構成においては、遊技盤８０の正面側に前面扉１４が位置するため、同前面扉１４と誘導レール１００とが干渉しやすくなると想定される。そこで、第２レールカバー４００によって同前面扉１４側から誘導レール１００を覆うことにより、同誘導レール１００と前面扉１４との干渉を好適に抑制できる。
【０１６７】
遊技盤８０を挿入部２９０に挿入する際には、誘導レール１００において挿入先側となる部分が干渉する可能性が他の部位と比べて干渉しやすくなると想定される。この点、本実施の形態によれば、第２レールカバー４００によって誘導レール１００における遊技盤８０の挿入方向先側となる部位を覆う構成とすることにより、上記保護機能を好適に発揮させることができる。
【０１６８】
また、遊技球発射機構１１０から発射された遊技球は、誘導レール１００において上記第２レールカバー４００によって覆われている部分を経由して遊技領域ＰＥに到達する。つまり、第２レールカバー４００により誘導レール１００において誘導通路１０３を構成している部分を覆うことにより、遊技球の誘導機能の担保することが可能となっている。
【０１６９】
本実施の形態においては特に、第２レールカバー４００のベース部４１０に括れを形成するとともに起立部４２０が湾曲部４２１を有することにより、誘導レール１００と第２レールカバー４００と遊技盤８０の前面において好適に共存させている。つまり、誘導レール１００によって区画されている遊技領域ＰＥの圧迫を抑えつつ第２レールカバー４００を配置している。つまり、第２レールカバー４００の保護機能を享受しつつ同第２レールカバー４００の占有領域の拡がりを抑えることにより、実用上好ましい構成が実現されている。
【０１７０】
特に誘導レール１００（詳しくは外レール１０２）において挿入部２９０側に凸となっている部分と遊技盤８０の端部との間となる部位では、第２レールカバー４００の設置が許容される領域が狭くなっている。この点、起立部４２０に外レール１０２に沿って湾曲する湾曲部４２１を形成することにより、占有領域の拡がりを抑えつつ、起立部４２０の強度（詳しくは遊技領域ＰＥの外側から加わる外力に対する耐性）を向上させている。
【０１７１】
また、起立部４２０の湾曲部４２１には対向部４５０が形成されており、同対向部４５０が上側起立部４２２と下側起立部４２３とに繋がる構成とすることにより、湾曲部４２１の更なる強度向上が期待できる。特に、対向部４５０は第１対向部４５１及び第２対向部４５２，４５３が前後に段差状となるように形成されている。これにより、更なる強度向上が可能となっている。
【０１７２】
上側起立部４２２及び下側起立部４２３は、外レール１０２の頂部１０２ａから遠ざかるにつれて同外レール１０２との間の隙間が拡がっており、その隙間を埋めるようにして内側ベース部４１１が形成されている。つまり、湾曲部４２１を挟んだ上下両側においては、内側ベース部４１１及び外側ベース部４１２が形成されている。これら内外のベース部４１１，４１２を有する構成とすることにより、湾曲部４２１の変形を好適に抑えることが可能となっている。
【０１７３】
このように強度が要求される第２レールカバー４００に上記突起４３１を配設することにより、突起４３１に相当する構成を別途設ける場合と比較して遊技盤８０前面側での設置領域の減縮が可能となっている。
【０１７４】
内枠を前扉枠で覆うタイプの遊技機においては内枠と前扉枠との位置関係に配慮した構成が採用されているものがある。このような構成では、内枠の樹脂ベースと前扉枠との位置関係を好適に維持することはできるものの、樹脂ベースとは別体で設けられた遊技盤と前扉枠に設けられたガラスパネルとの位置関係を好適に維持することは困難であると想定される。つまり、遊技盤及びガラスパネルの相対位置（前後位置）の変化やばらつきを抑えることは難しいと想定される。
【０１７５】
遊技盤とガラスパネルとの間に遊技領域が設けられ、その遊技領域を遊技球が流下する構成においては、上述した遊技盤及びガラスパネルの相対位置の変化は遊技領域における遊技球の挙動に影響を及ぼす要因となり得る。遊技盤を有する遊技機においては遊技領域における遊技球の挙動によって有利不利が決定されるため、上述したような遊技盤とガラスパネルとの相対位置の変化は好ましくない。
【０１７６】
この点、本実施の形態においては、前面扉１４の延出部３９が遊技盤８０の第２レールカバー４００と外レール１０２との間に挿通される構成とすることにより上記不都合の発生を好適に抑え、遊技領域ＰＥを流下する遊技球の挙動を好適なものとすることができる。
【０１７７】
特に、本実施の形態においては、遊技盤８０を樹脂ベース７０に対して着脱可能とする構成を採用することにより、メンテナンス作業の容易化や機種変更の促進等に貢献している。しかしながら、このように遊技盤８０を着脱可能とすることで、上記効果が期待できる反面、樹脂ベース７０に対する遊技盤８０の位置ばらつきが生じやすくなると想定される。このため、仮に前面扉１４と樹脂ベース７０との位置関係を好適に維持することができたとしても、上述した遊技盤８０と樹脂ベース７０との位置ばらつきは、遊技盤８０とガラスパネル３２との位置関係に影響を及ぼすと想定される。この点、前面扉１４の延出部３９と遊技盤８０の第２レールカバー４００とを設けることによって、上記不都合を抑制し、メンテンナンス作業の容易化等と遊技盤及びパネル部材の位置関係の維持とを好適に両立させることができる。
【０１７８】
誘導通路１０３と対向部４５０との間に前面扉１４の延出部３９を介在させるとともに、その延出部３９における後側の板面とガラスパネル３２における後側の板面とを面一とすることで誘導通路１０３を通過する遊技球の挙動の安定化に貢献できる。
【０１７９】
例えば、誘導通路１０３をガラスパネル３２と第２レールカバー４００の対向部４５０とによって前方から覆う構成とすることも可能ではあるが、ガラスパネル３２が前面扉１４側に設けられているとともに対向部４５０が遊技盤８０側に設けられているため、それらガラスパネル３２と対向部４５０との間には隙間や段差が生じやすくなると想定される。このため、誘導通路１３０により誘導されている遊技球の挙動がこれら隙間や段差等を通過する際に乱れて、安定した遊技球の誘導が困難となり得る。この点、上述の如く、面一となるように設けられた延出部３９とガラスパネル３２とによって誘導通路１０３を覆う構成とすれば、そのような不都合を払拭し、実用上好ましい構成を実現できる。
【０１８０】
また、遊技盤８０において前面扉１４の回動基端部寄りとなる位置に対向部４５０を配するとともに前面扉１４の回動基端部に延出部３９を配することにより、上記隙間に延出部３９が挿入される際の同延出部３９の移動方向を遊技盤８０の前面と略平行とすることが可能となる。故に、例えば対向部４５０と延出部３９との隙間を小さくしたり、それら対向部４５０及び延出部３９の掛かり代（すなわち前後方向における重なり代）を大きくしたりすることができ、上述した隙間の拡がりを規制する機能を一層好適なものとすることができる。
【０１８１】
、前面扉１４の上端及び下端寄りに配置された支持金具７１，７２によって支持しているため、それら支持金具７１，７２の中間部位では、前面扉１４と内枠１３と隙間が拡がりやすくなると想定される。そこで、上記延出部３９等を前面扉１４の回動基端側に配することにより、そのような不都合の発生を好適に抑制することが可能となっている。
【０１８２】
また、前面扉１４の回動先端側においては施錠装置７５により前面扉１４の浮き上がりが好適に抑制されているもの、回動基端側では上記支持金具７１，７２の中間位置での浮き上がりが容易になり得る。仮に前面扉１４の回動基端側における内枠１３との境界部位からバール等の不正具が挿入され、無理に上記境界部位が押し拡げられると、遊技領域ＰＥにて意図的に球詰まりを発生させることが可能となる。仮に、このような球詰まりが作動口８３等の入球口の傍で発生すると、後続する遊技球がそれら球詰まりしている遊技球群によって作動口８３等に誘導され、作動口８３等への入賞確率が変わってしまうと想定される。つまり、意図的に球詰まりを発生させることにより、不正に特典を享受しようとする試みがなされると懸念される。この点、本実施の形態においては、上記延出部３９及び対向部４５０（詳しくは第２対向部４５３）を作動口８３と上記回動基端側の境界部位との間に配置することにより、上述した不正行為を好適に抑制することが可能となっている。
【０１８３】
延出部３９と対向部４５０とが当接している場合には、第２レールカバー４００に対して遊技盤８０から浮き上がるような応力が加わることとなる。第２レールカバー４００は起立部４２０を有しており、前後方向への変形に対する強度が高められている。これにより、延出部３９によって前方へ引っ張られたとしても、同第２レールカバー４００の変形を抑えることができる。故に、上記隙間の拡がりを好適に抑制できる。
【０１８４】
以上詳述したように、遊技盤８０（詳しくはその前面）とガラスユニット３０（詳しくはガラスパネル３２）との位置関係を維持可能な構成においては、例えば、延出部３９や対向部４５０の強度を向上することにより隙間の拡がり規制機能を向上することが可能ではある。しかしながら、パチンコ機１０内部の限られた領域にてそのように強度向上を図ることは困難であると想定される。特に、遊技盤８０の前面側には遊技領域ＰＥが形成されており、強度向上によって遊技領域ＰＥが圧迫されることは好ましくない。更には、枠体２０等の浮き上がりに伴って発生する応力が延出部３９等に集中することにより同延出部３９等に変形が生じやすくなる。故に、規制機能を担保することが困難になり得る。以上の理由から、強度向上に頼って規制機能を向上させることは困難であると想定される。この点、本実施の形態においては、強度向上を図るのではなく、ガラスユニット３０をスライド移動可能とすることにより上記規制機能を好適に向上させている。具体的には、ガラスユニット３０を前面扉１４の枠体２０に対して前後方向へのスライド移動を許容した状態で取り付けている。このため、延出部３９と対向部４５０とが当接することで遊技盤８０とガラスユニット３０との相対位置の変化を抑えつつ、それに伴って延出部３９や対向部４５０等に生じる負荷を小さくすることができる。これにより、上記不都合の発生を抑え、遊技盤８０とガラスユニット３０との位置関係を好適に維持することができる。
【０１８５】
ガラスユニット３０を可動式とするとともに、コイルバネ４６の付勢力によってガラスユニット３０を特定位置に保持する構成とすることにより、過度に大きな応力がガラスユニット３０や遊技盤８０に加わることを抑制することができる。例えば、内枠１３と前面扉１４との境界部位からバール等の不正具を挿入して、前面扉１４を無理やり浮き上がらせるといった不正行為が行われた場合であっても、そのような行為によって発生する応力が、ガラスユニット３０や遊技盤８０に集中することを抑制することができる。これにより、隙間の拡がりを規制する機能の担保に貢献することができる。
【０１８６】
また、ガラスユニット３０を可動式とするとともに遊技盤８０を固定式とすることにより、以下の効果が期待できる。すなわち、内枠１３には、遊技盤８０だけでなく、遊技球発射機構１１０が設けられており、上述の如くガラスユニット３０をスライドさせることで、遊技盤８０と遊技球発射機構１１０との位置関係を好適に維持しつつ同ガラスユニット３０と遊技盤８０との位置関係を維持することが可能となる。つまり、ガラスユニット３０を固定式とし、遊技盤８０を移動式とする場合と比較して、構成の煩雑化を抑えつつ、上記防犯効果等を発揮させることができる。
【０１８７】
ガラスユニット３０を可動式とすることにより、枠体２０の窓部２１を通じた不正具の挿入が容易化されることは好ましくない。この点、本実施の形態においては内枠１３のプレート部材２８１に設けられた当接部２８２等によって遊技盤８０側へのガラスユニット３０の移動を規制する構成とした。これにより、例えばガラスユニット３０が押される等した場合であっても、上記隙間が拡大することを抑制することができ、防犯性の低下を抑えることが可能となっている。
【０１８８】
更には、ガラスユニット３０の可動範囲においては同ガラスユニット３０がガラスユニット設置部２２から離脱することを回避し、ガラスユニット３０と枠体２０との境界部位の拡がりを抑えている。これにより、窓部２１→同境界部位を通じた不正具の挿入を困難なものとすることができる。
【０１８９】
本実施の形態においては、ガラスユニット３０を可動式とするとともに、同ガラスユニット３０をコイルバネ４６によって前方へ付勢し、前方での限界位置を保持部５７によって規定した。これにより、前面扉１４を閉じる際のガラスユニット３０の位置ばらつきを抑えることができ、規制状態への移行の円滑化を図っている。
【０１９０】
また、ガラスユニット２０を前方へ付勢し、同ガラスユニット３０の延出部３９が遊技盤８０の対向部４５０に対して当接することで、当該ガラスユニット３０の前方への変位を規制する構成とした。このため、仮に、前面扉１４が内枠１３から浮かした状態で、更にガラスユニット３０が前方に引っ張られた場合であっても、付勢力に依存するのではなく延出部３９と対向部４５０との引っ掛かりにより、同ガラスユニット３０の前方への変位が規制されることとなる。このようにガラスユニット３０の前方への移動を付勢力に頼るのではなく機械的に妨げる構成とすることで、上記隙間維持機能を好適に高めることができ、更なる防犯性向上が期待できる。
【０１９１】
また、延出部３９が対向部４５０に対してパチンコ機１０の前方から対向する構成と比較して、以下の効果が期待できる。すなわち、このような構成においては、隙間維持機能を好適に発揮させるには、延出部３９と対向部４５０とが前面扉１４を閉じている状態において常時当接する構成とし、更には、ガラスユニット３０を後方へ付勢することにより、延出部３９及び対向部４５０を強干渉させておく必要が生じる。この場合、前面扉１４に浮き上がり等が発生していない通常時にいおいて、浮き上がりが発生している場合よりも大きな付勢力が延出部３９等に加わることとなり、延出部３９や対向部４５０の機能保護が難しくなり得る。この点、上記実施の形態における構成においては、前面扉１４の浮き上がりが発生していない場合には、同浮き上がりが発生している場合と比較して小さな付勢力しか加わらない、又は付勢力が加わらない。これにより、上記不都合を好適に払拭することができ、延出部３９や対向部４５０の保護を図ることができる。故に、上記隙間維持機能を好適に担保することが可能となる。
【０１９２】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１９３】
（１）上記実施の形態では、ガラスユニット３０を可動式とすることにより同ガラスユニット３０と前面扉１４の枠体２０との相対位置の変位を許容し、ガラスユニット３０（詳しくはガラスパネル３２）と遊技盤８０（詳しくはその前面）との位置関係を維持する構成としたが、これに限定されるものではない。遊技盤８０を可動式とすることにより同遊技盤８０と内枠１３の樹脂ベース７０との相対位置の変位を許容し、ガラスユニット３０（詳しくはガラスパネル３２）と遊技盤８０（詳しくはその前面）との位置関係を維持する構成としてもよい。また、ガラスユニット３０及び遊技盤８０をそれぞれ可動式とすることも可能である。
【０１９４】
但し、遊技盤８０を可動式とした場合、前面扉１４の内枠１３からの浮き上がりに応じて、遊技盤８０がガラスユニット３０に追従して移動することとなる。この際、遊技盤８０と同遊技盤８０に遊技球を供給する遊技球発射機構１１０との前後位置がずれることは好ましくない。そこで、遊技盤８０が可動式となるように変更を行う場合、併せて以下の変更を行うことが好ましい。具体的には、遊技球発射機構１１０を樹脂ベース７０に対して前後方向へのスライド移動を許容した状態でとりつけるとともに、遊技盤８０とともに遊技球発射機構１１０が移動する構成とするとよい。これにより、遊技盤８０と遊技球発射機構１１０との位置関係を好適に維持することができ、実用上好ましい構成を実現できる。
【０１９５】
（２）上記実施の形態では、誘導レール１００を覆う第２レールカバー４００に「規制手段」としての機能を付与したがこれに限定されるものではない。つまり、第２レールカバー４００に設けられた対向部４５０に相当する構成を別途設けてもよい。また、対向部４５０に相当する構成を遊技盤８０ではなく樹脂ベース７０に設けることも可能ではあるが、この場合、遊技盤８０と樹脂ベース７０との位置関係のばらつきが、遊技盤８０とガラスユニット３０との位置関係に影響を与える可能性が生じ、それら遊技盤８０とガラスユニット３０との位置関係を維持する機能が低下し得る。故に、望ましくは対向部４５０に相当する構成は遊技盤８０に設けるとよい。
【０１９６】
また、対向部４５０に付与した規制機能を遊技盤８０自体に付与することも可能である。例えば、ガラスユニット３０の延出部３９に相当する構成が遊技盤８０の背面に当接する構成とすることも可能である。言い換えれば、「規制手段」を構成する延出部３９及び第２レールカバー４００が遊技盤８０の前方にて引っ掛かる構成としたが、これに限定されるものではない。遊技盤８０の後方にて引っ掛かる構成とすることも可能である。例えば、上述したように遊技盤８０の背面に対して延出部３９が引っ掛かる構成にするとよい。
【０１９７】
（３）上記実施の形態では、遊技盤８０に設けられた第２レールカバー４００の対向部４５０とガラスユニット３０に設けられたガラスホルダ３３の延出部３９とによって「規制手段」を構成し、同「規制手段」を前面扉１４の回動基端側に配したが、これに限定されるものではない。例えば、「規制手段」に相当する構成を前面扉１４の回動先端側に配することも可能である。
【０１９８】
例えば、遊技盤８０及びガラスユニット３０の相対移動が不可となるようにロックするロック状態と、遊技盤８０及びガラスユニット３０の相対移動を許容するロック解除状態とに切替可能なロック装置を設け、同ロック装置を前面扉１４が開放されている場合にはロック状態に切り替わるとともに前面扉１４が閉じた場合にロック状態に切り替る構成とすることも可能である。なお、このようなロック装置を採用する場合、同ロック装置が施錠装置と連動してロック状態からロック解除状態に切り替る構成とすることで、更なる防犯性の向上が期待できる。
【０１９９】
（４）上記実施の形態では、「パネル部」としてのガラスユニット３０が複数のガラスパネル３１，３２を有する構成としたが、ガラスパネルの数は任意である。例えば、ガラスユニット３０を１のガラスパネルとガラスホルダとによって構成してもよい。但し、安全性や防犯性の向上を念頭に置けば、パネル部材を少なくとも２枚採用することが好ましい。
【０２００】
また、「パネル部」を構成しているガラスパネル３１，３２を同じく「パネル部」を構成しているガラスホルダ３３を介して「扉枠」としての枠体２０に取り付ける構成としたが、このガラスホルダ３３を省略し、ガラスパネル３１，３２を枠体２０に対して直接取り付ける構成とすることも可能である。例えば「パネル部」が１のガラスパネルによって構成されている場合、同ガラスパネルを枠体に対してスライド移動可能な状態で取り付けることも可能である。
【０２０１】
（５）上記実施の形態では、「遊技機本体」としての内枠１３に対して「扉体」としての前面扉１４が回動可能な構成を採用したが、これに限定されるものではない。前面扉１４は内枠１３をパチンコ機１０の前方から覆っていればよく、その開閉方法は任意である。例えば、前面扉１４が閉位置と開位置とにスライド移動可能な構成とすることも可能である。
【０２０２】
（６）上記実施の形態では、「付勢手段」としてのコイルバネ４６を前面扉１４に取り付ける構成としたが、同コイルバネ４６の取付対象は前面扉１４に限定されるものではない。例えば内枠１３に取り付けられたコイルバネ４６によってガラスユニット３０をパチンコ機１０の前方へ付勢することも可能である。
【０２０３】
なお、コイルバネ４６に関して必須の構成ではなく、これを省略することも可能である。但し、コイルバネ４６を省略した場合、ガラスユニット３０の位置がばらついた状態で前面扉１４が閉じた場合であっても、延出部３９が遊技盤８０の前面と対向部４５０との間に挿入されるように同延出部３９を誘導する誘導部を設けることが好ましい。例えば、上記誘導部として、対向部４５０の先端部分や延出部３９の先端部分の一方に、当該一方が他方に対して当たった場合に、同延出部３９（ガラスユニット３０を）を誘導する誘導傾斜面を形成するとよい。
【０２０４】
（７）上記実施の形態では、ネジ４５によってガラスユニット３０を枠体２０に取り付ける構成としたが、ガラスユニット３０が前後方向へ移動可能な状態で取り付けられているのであればその取付方法は任意である。例えば、枠体２０に、ガラスユニット３０の取り外しを阻止するロック位置と取り外しを許容するロック解除位置とに切替可能なロック機構を設け、同ロック機構によってガラスユニット設置部２２からのガラスユニット３０の脱落を阻止するとよい。
【０２０５】
（８）上記実施の形態では、ガラスユニット設置部２２を凹状とし、同ガラスユニット設置部２２にガラスユニット３０を収容する構成としたが、これに限定されるものではない。少なくともガラスユニット３０をスライド移動可能に保持する保持部５７に相当する構成を有していればよく、同ガラスユニット設置部２２を省略してもよい。
【０２０６】
但し、ガラスユニット設置部２２を省略した場合、ガラスユニット３０を移動可能にしたことにより、窓部２１を通じた不正具等の侵入が容易になり得る。これは、防犯性を低下させる要因となり得るため好ましくない。故に、望ましくは、ガラスユニット設置部２２の周壁部２２ａに相当する構成を設け、同周壁部２２ａとガラスユニット３０とをガラスユニット３０のスライド方向と直交する方向に重ねるとよい。
【０２０７】
（９）上記実施の形態では、内枠１３に「ストッパ」としての当接部２８２を設け、それら当接部２８２によって遊技盤８０側へのガラスユニット３０の移動を阻止する構成としたが、これら当接部２８２は必須の構成ではなく省略することも可能である。但し、当接部２８２等を省略した場合には、前面扉１４を閉じている状態にてガラスユニット３０が押されることにより、同ガラスユニット３０と遊技盤８０との隙間が小さくなり得る。これは、本実施の形態における上記隙間維持の思想に逆行することとなり得るため好ましくない。故に、望ましくは当接部２８２に相当する構成の省略は控えるとよい。
【０２０８】
（１０）上記実施の形態では、ガラスユニット３０の取付部３５とコイルバネ４６とを同じ位置に配置したが、これら取付部３５とコイルバネ４６との配置は任意に変更してよい。但し、取付部３５にガラスユニット３０をスライド移動可能とする機能が付与されている点に着目すれば、コイルバネ４６を取付部３５寄りとなる位置に配置することが望ましい。なお、コイルバネ４６に代えて、板バネ等の他のバネを採用することも可能であり、更にはゴム等の他の付勢部材を採用することも可能である。
【０２０９】
（１１）上記実施の形態では、ガラスユニット３０の延出部３９が遊技盤８０の対向部４５０に対して後方から当接することにより、ガラスユニット３０の前方への移動を不可とする構成とした。ガラスユニット３０の前方への移動を不可とする構成は、それに限定されるものではない。例えば、延出部３９が対向部４５０に対して前方から当接する構成を採用するとともに、コイルバネ等の付勢手段を用いてガラスユニット３０を遊技盤８０側へ付勢する構成とすれば、ガラスユニット３０の前方への移動を抑えることが可能となる。
【０２１０】
但し、このような変更を行った場合には、ガラスユニット３０と枠体２０との相対位置のずれが大きくなった場合に規制機能が停止しないように、付勢力の初期値を高めに設定する必要が生じる。このため、上記相対位置のずれが最も小さい状態にて上記付勢力が最大となり、延出部３９や対向部４５０に生じる負荷が大きくなると想定される。これは規制機能担保の観点から好ましくないと考えられる。一方、上記実施の形態においては、相対位置のずれ量が最小である場合にコイルバネ４６の付勢力も最小となり、延出部３９や対向部４５０に生じる負荷が大きくなることを好適に回避することができる。更には、ガラスユニット３０と遊技盤８０との隙間の変化が微小な場合には、延出部３９と対向うぶ４５０との当接を回避することができ、それら延出部３９等を好適に保護することが可能となる。故に、望ましくは、上記実施の形態に示したようにガラスユニット３０側の「規制部」としての延出部３９が遊技盤側の「規制部」としての対向部４５０に対して後方から当接（対向）する構成を採用するとよい。
【０２１１】
（１２）上記実施の形態では、内枠１３（詳しくは樹脂ベース７０）において前面扉１４を軸支している側と同一側に挿入部２９０を配したが、これを変更し、内枠１３において前面扉１４を軸支している側とは反対側に挿入部２９０を配することも可能である。但し、このような変更を行った場合には、遊技盤８０を着脱する際に前面扉１４が作業の邪魔になりやすいと想定される。確かに、前面扉１４の開放量を大きくすることで、作業性の低下を抑えることは可能であるが、このような対応は作業スペースが無駄に拡がる要因となり得るため好ましくない。特に、遊技ホール等の島設備に設置されている状態にて前面扉１４を大きく開放させる必要があると、隣接する遊技機での遊技を妨げる要因となり得るため好ましくない。この点、上記実施の形態に示したように、前面扉１４を軸支している側と同一側に挿入部２９０を配すれば、上記不都合を払拭し、実用上好ましい構成を実現できる。
【０２１２】
（１３）上記実施の形態では、遊技盤８０を回動させることにより装着完了位置へ配置可能な構成としたが、これに限定されるものではない。例えば遊技盤８０を所定の方向にスライド移動させることで装着完了位置へ配置可能な構成とすることも可能である。
【０２１３】
（１４）上記実施の形態では、樹脂ベース７０に対して遊技盤８０を同樹脂ベース７０の前方から着脱可能な構成としたが、これを変更し、同遊技盤８０を樹脂ベース７０の後方から着脱可能な構成とすることも可能である。
【０２１４】
（１５）上記実施の形態では、「パネル部材」をガラス製としたが、合成樹脂製とすることも可能である。このようにパネル部材を合成樹脂製とする場合には、併せて以下の変更を行うことも可能である。すなわち、延出部３９に相当する構成を、パネル部材に設けることも可能である。
【０２１５】
（１６）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０２１６】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
なお、下記の特徴群に記載された発明は、「パチンコ機等の遊技機には、遊技盤を本体枠に搭載してなる遊技機本体と、その遊技機本体に取り付けられているとともに同遊技機本体を前面側から覆う扉体とを備えているものがある。扉体は、遊技盤の前方に開口部が形成された扉枠と、同扉枠とは別体で形成され、その開口部を覆うパネル部とを有している。パネル部は、遊技盤の前面に対向するようにして配置されており、それら遊技盤とパネル部との間に形成された遊技領域が同パネル部を通して視認可能となっている。遊技盤とパネル部との隙間は、例えば遊技球の直径寸法よりも若干大きく設定されており、上記遊技領域での遊技球の流下が担保されている。遊技領域には入賞口や入賞装置等の各種構成が設けられている。遊技者により遊技球発射ハンドルが操作されると遊技球が遊技領域に向けて発射され、それら遊技球が入賞口や入賞装置等に入賞した場合には予め設定された個数の遊技球が払い出される（例えば特許文献１参照）。」という背景技術について、「上述の如く遊技盤とパネル部との間に遊技領域が形成されているタイプの遊技機においては、遊技領域内での遊技球の挙動によって有利不利が決定されるため、それら遊技盤とパネル部との位置関係がばらついたり変化したりすることは好ましくない。」という発明が解決しようとする課題をもってなされたものである。
【０２１７】
特徴１．遊技球が流下する遊技領域（遊技領域ＰＥ）が前面側に形成された遊技盤（遊技盤８０）を、本体枠（樹脂ベース７０）に搭載してなる遊技機本体（内枠１３）と、
前記遊技盤を遊技機前方から覆うとともに前記遊技領域が視認可能となるように形成されたパネル部（ガラスユニット３０）を、前記遊技機本体の前方に配されているとともに同遊技機本体に対して開閉可能に設けられた扉枠（枠体２０）に搭載してなる扉体（前面扉１４）と、
前記遊技盤及び前記パネル部に設けられ、前記扉体が前記遊技機本体に対して閉じている場合に、前記遊技盤と前記パネル部との隙間の変化を規制する規制手段（ガラスユニット３０の延出部３９、及び遊技盤８０の対向部４５０）と
を備え、
前記遊技盤及び前記パネル部の少なくとも一方は、少なくとも前記規制手段によって隙間の変化が規制されている状態においては、自身の搭載対象との前後方向への相対変位が許容されるようにして配設されていることを特徴とする遊技機。
【０２１８】
遊技機本体を扉体で覆うタイプの遊技機においては本体枠と扉枠との位置関係に配慮した構成が採用されているものがある。このような構成では、本体枠と扉枠との位置関係を好適に維持することはできるものの、本体枠に対して別体で設けられた遊技盤と、扉枠に対して別体で設けられたパネル部との位置関係を好適に維持することは困難であると想定される。つまり、遊技盤及びパネル部の相対位置（前後位置）の変化やばらつきを抑えることは難しいと想定される。
【０２１９】
遊技盤とパネル部との間に遊技領域が設けられ、その遊技領域を遊技球が流下する構成においては、上述した遊技盤及びパネル部の相対位置の変化は遊技領域における遊技球の挙動に影響し得る。遊技盤を有する遊技機においては遊技領域における遊技球の挙動によって有利不利が決定されるため、遊技盤とパネル部材との相対位置が変化することは好ましくない。
【０２２０】
この点、本特徴によれば、パネル部と遊技盤とに設けた規制手段によってそれら遊技盤及びパネル部の隙間の変化（例えば遊技盤とパネル部との間隔の変化）を規制することにより上記不都合の発生を好適に抑え、遊技領域を流下する遊技球の挙動を好適なものとすることができる。
【０２２１】
また、本体枠から扉枠が浮く等してそれら本体枠と扉枠との位置関係が変化した場合であっても、それに応じて遊技盤及びパネル部の少なくとも一方とその搭載対象との前後方向への相対位置が変化することにより上記隙間が維持される。これにより、本体枠と扉枠との位置関係の変化に起因した遊技盤及びパネル部の位置のばらつきや隙間の変化を抑えつつ、規制手段に生じる負荷を低減したり、遊技盤やパネル部の変形を抑えたりすることができる。故に、遊技盤とパネル部との位置関係を好適に維持することが可能となる。
【０２２２】
なお、本特徴に示す遊技盤とパネル部とは必ずしも平行である必要はない。つまり、上記隙間が全ての箇所で一定となる構成に限定されるものではなく、例えば遊技盤の前面が平面である場合にパネル部の後面を曲面とすることも可能である。更には本特徴における「隙間の変化」は必ずしも遊技盤とパネル部との最短距離の変化に限定しているのではなく、それら遊技盤及びパネル部両者における任意箇所同士の距離の変化を含んでいる。
【０２２３】
特徴２．前記規制手段は、前記扉体が前記遊技機本体に対する閉位置へ移動することに基づいて、前記遊技盤と前記パネル部との隙間の変化を規制しない規制解除状態から同隙間の変化を規制する規制状態に切替可能に設けられており、
前記遊技盤及び前記パネル部のうち前記相対変位が許容されている一方に対して前方又は後方から当接することによりその当接している側における前記相対変位の限界位置を定める当接部（保持部５７の先端部分）と、
前記変位可能な一方を前記当接部に向けて付勢する付勢手段（コイルバネ４６）と
を備えていることを特徴とする特徴１に記載の遊技機。
【０２２４】
特徴１に示したように遊技盤及びパネル部に規制手段を設けるとともにそれら遊技盤及びパネル部のうち少なくとも一方を変位可能に搭載する構成においては、相対変位を許容する構成を採用したが故に、扉体を閉じる際のそれら変位可能な構成の位置が定まりにくくなることで規制手段の規制状態への切り替えが難しくなり得る。
【０２２５】
この点、本特徴に示すように、当接部及び付勢手段を併用することにより、扉体を閉じる際の上記位置ばらつきを抑制することができる。これにより、パネル部や遊技盤を変位可能な構成を採用しつつ、上記規制状態への円滑な移行を実現することができる。
【０２２６】
特徴３．前記当接部は、前記遊技盤及び前記パネル部のうち前記相対変位が許容されている一方に対して他方とは反対側から当接することにより前記限界位置を定めるものであり、
前記規制手段は、前記パネル部に設けられたパネル部側規制部と前記遊技盤に設けられ前記パネル部側規制部に対して後方から対向する遊技盤側規制部とを有し、前記遊技盤側規制部と前記パネル部側規制部とが前後に当接することで前記遊技盤及び前記パネル部の隙間の拡がりを規制することを特徴とする特徴２に記載の遊技機。
【０２２７】
特徴３によれば、規制手段が規制状態に切り替えられている状態にて、扉体の浮き上がりが発生した場合に、遊技盤とパネル部との隙間の拡がりを機械的に止めることができる。例えば、遊技盤側規制部とパネル部側規制部とが当接している状態（規制状態）にて、遊技盤及びパネル部の一方が両者の隙間が拡がる側へ引っ張られる等した場合であっても、付勢力に依存してそのような行為に抗するのではなく、規制部同士の引っ掛かりにより同行為に抗することができる。これにより、例えば付勢手段の付勢力に依存して隙間の拡がりを抑える構成と比べて、上記隙間維持機能を好適に高めることができる。
【０２２８】
特徴４．遊技球が流下する遊技領域（遊技領域ＰＥ）が前面側に形成された遊技盤（遊技盤８０）を、本体枠（樹脂ベース７０）に搭載してなる遊技機本体（内枠１３）と、
前記遊技盤を遊技機前方から覆うとともに前記遊技領域が視認可能となるように形成されたパネル部（ガラスユニット３０）を、前記遊技機本体の前方に配されているとともに同遊技機本体に対して開閉可能に設けられた扉枠（枠体２０）に搭載してなる扉体（前面扉１４）と、
前記遊技盤及び前記パネル部に設けられ、前記扉体が前記遊技機本体に対して閉じている場合に、前記遊技盤と前記パネル部との隙間の変化を規制する規制手段（ガラスユニット３０の延出部３９及び遊技盤８０の対向部４５０）と
を備え、
前記パネル部は、少なくとも前記規制手段によって隙間の変化が規制されている状態においては前記扉枠との前後方向への相対変位が許容されるようにして同扉枠に搭載されていることを特徴とする遊技機。
【０２２９】
遊技機本体を扉体で覆うタイプの遊技機においては本体枠と扉枠との位置関係に配慮した構成が採用されているものがある。このような構成では、本体枠と扉枠との位置関係を好適に維持することはできるものの、本体枠に対して別体で設けられた遊技盤と扉枠に対して別体で設けられたパネル部との位置関係を好適に維持することは困難であると想定される。つまり、遊技盤及びパネル部の相対位置（前後位置）の変化やばらつきを抑えることは難しいと想定される。
【０２３０】
遊技盤とパネル部との間に遊技領域が設けられ、その遊技領域を遊技球が流下する構成においては、上述した遊技盤及びパネル部の相対位置の変化は遊技領域における遊技球の挙動に影響し得る。遊技盤を有する遊技機においては遊技領域における遊技球の挙動によって有利不利が決定されるため、遊技盤とパネル部材との相対位置が変化することは好ましくない。
【０２３１】
この点、本特徴によれば、パネル部と遊技盤とに設けた規制手段によってそれら遊技盤及びパネル部の隙間の変化（例えば遊技盤とパネル部との間隔の変化）を規制することにより上記不都合の発生を好適に抑え、遊技領域を流下する遊技球の挙動を好適なものとすることができる。
【０２３２】
本体枠や扉枠の前後位置がばらつく等した場合であっても、それに応じてパネル部と扉枠との相対位置が変化することにより、上記隙間が維持される。これにより、本体枠と扉枠との位置ばらつき等に起因した遊技盤及びパネル部の位置ばらつき（すなわち遊技盤及びパネル部の隙間の変化）を抑えることができ、遊技盤とパネル部との位置関係を好適に維持することができる。
【０２３３】
また、遊技盤には遊技球が流下する流下領域が形成されている。このため、パネル部を可動式（変位を許容する構成）とする場合と比較して、遊技盤を可動式とした場合には遊技球の流下態様への影響は大きくなると想定される。そこで、本特徴に示すようにパネル部を可動式とし、パネル部と扉枠との相対位置の変位により扉枠と本体枠との位置ばらつき等を吸収する構成とすれば、必ずしも遊技盤を変位させることで位置ばらつきを吸収する必要がなくなり、上記不都合を好適に払拭することができる。
【０２３４】
なお、本特徴に示す遊技盤とパネル部とは必ずしも平行である必要はない。つまり、上記隙間が全ての箇所で一定となる構成に限定されるものではなく、例えば遊技盤の前面が平面である場合にパネル部の後面を曲面とすることも可能である。更には本特徴における「隙間の変化」は必ずしも遊技盤とパネル部との最短距離の変化に限定しているのではなく、それら遊技盤及びパネル部両者における任意箇所同士の距離の変化を含んでいる。
【０２３５】
特徴５．前記パネル部を前記扉枠に対して前後方向へ変位可能な状態で取り付ける取付部（取付部３５、ネジ４５及び保持部５７）を備えていることを特徴とする特徴４に記載の遊技機。
【０２３６】
特徴４に示した構成を実現するには、本特徴に示すようにパネル部の取り付けを工夫するとよい。
【０２３７】
例えば、パネル部が透明性を有する透明パネルと透明パネルを保持するパネルホルダとを有する構成を採用する場合には、取付部によってパネルホルダを扉枠に取り付けることが望ましい。具体的には、パネルホルダを省略し透明パネルを扉枠に対して直接取り付ける構成を採用した場合、透明パネルの前後両側にストッパを設ける必要が生じ、特に後側のストッパに関しては透明パネルよりも遊技盤側へ張り出すと想定される。このような張り出しは、遊技領域の圧迫を招来する要因となり得るため好ましくない。この点、パネルホルダを取り付けることで上記変位を許容すれば、パネル部の変位を許容する構成が透明パネルよりも後側への張り出すことを容易に回避することができ、パネル部の変位を許容する構成を限られた空間にて遊技盤（詳しくは遊技領域）と好適に共存させることができる。
【０２３８】
特徴６．前記遊技盤は、同遊技盤の前面から前方へ起立して、前記遊技領域及びその遊技領域へ遊技球を誘導する誘導部（誘導通路１０３）を区画形成する区画部（誘導レール１００）を有しており、
前記取付部及び前記規制手段は、前記区画部に沿って配設されており、
前記取付部は、前記規制手段を挟んだ両側に配置されていることを特徴とする特徴５に記載の遊技機。
【０２３９】
特徴４等に示したように規制手段によってパネル部と遊技盤との位置関係を維持する構成においては特に、遊技領域や誘導部が設けられている部分とパネル部との位置関係の維持が重要となる。そこで、本特徴に示すように、取付部及び規制手段を区画部に沿って配設することにより、実用上好ましい構成を実現できる。また、規制手段を挟んだ両側に取付部を配置することにより、上記維持機能の安定化に貢献することができる。
【０２４０】
特徴７．前記規制手段は、前記扉体が前記遊技機本体に対する閉位置へ移動することに基づいて、前記遊技盤と前記パネル部との隙間の変化を規制しない規制解除状態から同隙間の変化を規制する規制状態に切替可能に設けられており、
前記パネル部に対して前方から当接することにより、同パネル部の前側での限界位置を定めるパネル部用当接部（保持部５７の先端部分）と、
前記パネル部を前記パネル部用当接部に向けて付勢するパネル部用付勢手段（コイルバネ４６）と
を備えていることを特徴とする特徴４乃至特徴６のいずれか１つに記載の遊技機。
【０２４１】
特徴４等に示したように遊技盤及びパネル部に規制手段を設けるとともに同パネル部と扉枠との相対変位を許容する構成においては、遊技盤とパネル部との位置関係を好適に維持することができる反面、パネル部の位置が定まりにくくなることで上記規制状態の移行が難しくなり得る。
【０２４２】
この点、本特徴に示すように、パネル部用付勢手段によってパネル部をパネル部用当接部（限界位置）に向けて付勢しておくことにより、扉体を閉じる際の同パネル部の位置のばらつきを抑制することができる。これにより、パネル部と扉枠との相対変位を許容する構成を採用しつつ、規制状態への円滑な移行を実現することができる。
【０２４３】
特徴８．前記扉枠は、前記パネル部が前記遊技盤側から設置されるパネル設置部（ガラスユニット設置部２２）を有しており、
前記パネル部用当接部（保持部５７の先端部分）は、前記扉枠において前記パネル設置部と同一側に形成されていることを特徴とする特徴７に記載の遊技機。
【０２４４】
特徴４等に示したようにパネル部を可動式とすることで同パネル部と遊技盤との位置関係を維持する構成においては、両者の相対変位を許容する変位領域を確保する必要が生じ得る。例えば、扉枠に対してパネル部を前方から設置する構成とした場合には、予め上記変位領域を見込んで扉枠（パネル設置部）を形成する必要が生じ、扉体の厚さが増すと想定される。この点、本特徴に示すように、パネル部を扉枠の背面側から設置可能とすれば、扉枠が本体枠から浮き上がることで同扉枠がパネル部から遠ざかることとなる。故に、変位領域の見込みが不要となり扉体の厚さが増すことを抑制できる。つまり、パネル部と遊技盤との位置関係を好適に維持しつつ、それに伴う扉体の厚さの増大を抑制できる。
【０２４５】
特徴９．前記本体枠に設けられ、前記遊技盤が遊技機前方から設置される遊技盤設置部（遊技盤収容部７３）と、
前記本体枠に設けられ、前記遊技盤設置部に設置された前記遊技盤に対して遊技機前方から当接することにより当該遊技盤の前側での限界位置を定める遊技盤用当接部（樹脂ベース７０のストッパ部２７１等）と、
前記遊技盤を前記遊技盤用当接部に向けて付勢する遊技盤用付勢手段と、
前記パネル部を前記遊技盤側とは反対側へ付勢するパネル部用付勢手段（コイルバネ４６）と
を備え、
前記規制手段は、
前記遊技盤に設けられた遊技盤側規制部（対向部４５０）と、
前記パネル部に設けられ、前記扉体が閉じている状態にて前記遊技盤側規制部に対して前記パネル部用付勢手段による付勢方向の手前側から対向するパネル側規制部（延出部３９）と
を有していることを特徴とする特徴４乃至特徴６のいずれか１つに記載の遊技機。
【０２４６】
特徴８によれば、遊技盤設置部に設置された遊技盤を、遊技盤用付勢手段によって遊技盤用当接部に押し付けることにより、遊技盤を本体枠に対して前方から設置する構成において同遊技盤を当該遊技盤の前面基準で位置決めすることができる。例えば、遊技盤の厚さが製造誤差等によりばらついたとしても、位置精度を担保しつつ同ばらつきを許容することができる。遊技盤の前面に遊技領域が形成されている点に着目すれば、上述の如く遊技盤の前面の位置精度を向上することにより実用上好ましい構成を実現できる。
【０２４７】
このように遊技盤を遊技盤用当接部及び遊技盤用付勢手段によって前面基準で位置決めしている場合には、遊技盤を後方へ押すように力が作用することは好ましくない。この点、本特徴においては、このような不都合を好適に抑制することができる。具体的には、扉枠が本体枠に対して前方へ浮く等した場合、遊技盤側規制部に対してパネル部用付勢手段による付勢方向の手前側からパネル側規制部が当接することにより、遊技盤とパネル部との隙間の拡がりが抑えられることとなる。この際、パネル側規制部によって遊技盤側規制部が遊技機前方へ押される。このため、遊技盤が遊技盤側付勢手段の付勢力に抗して後方へ（すなわち遊技盤用当接部から遠ざかる側へ）変位することを回避することができる。一方、扉枠が本体枠側へ沈み込んだ場合には、パネル側規制部は遊技盤側規制部から遠ざかる側へ変位することとなる。故に、遊技盤側規制部が後方へ押されることを回避し、上記不都合を払拭することができる。
【０２４８】
また、各付勢手段によって遊技盤及びパネル部を付勢することにより、それら遊技盤及びパネル部の搭載位置のばらつきを抑えることができる。これにより、扉体を閉じた際の両規制部の干渉を抑制することができる。特に、パネル部及び遊技盤の付勢方向を揃えることにより、仮に付勢力に抗するようにしてパネル部及び遊技盤の搭載位置がずれている場合であっても、両者の搭載位置のばらつきの累積を小さくすることが可能となり、上記規制状態への移行が難しくなることを抑制できる。
【０２４９】
特徴１０．前記パネル部用付勢手段は、前記扉枠に配設されていることを特徴とする特徴７乃至特徴９のいずれ１つに記載の遊技機。
【０２５０】
特徴１０によれば、パネル用付勢手段を扉枠に配設することにより、同パネル用付勢手段及びそれに付随する構成の占有領域を小さくすることができる。
【０２５１】
また、パネル用付勢手段が遊技機本体側に配設されている場合と比較して、以下の効果が期待できる。すなわち、扉体を開放している状態での扉枠とパネル部との相対位置のばらつきを抑えることができ、扉体を遊技機本体に対して閉じた際に上記規制状態への移行を好適なものとすることができる。
【０２５２】
特徴１１．前記パネル部は、前記扉枠において前記遊技盤の前方となる部位に形成された開口部（窓部２１）を同遊技盤側から覆う位置に配置されており、
前記扉枠は、
前記パネル部の周縁に沿って延びるとともに、当該パネル部を囲む囲み部（周壁部２２ａ）と、
前記パネル部及び前記扉枠の相対変位量が所定量に達した場合に同パネル部に対して当接することで前記パネル部及び前記扉枠の相対変位を阻止する阻止部（ネジ４５の頭部４５ａ）と
を有し、
前記囲み部は、前記扉枠と前記パネル部との相対移動が許容されている範囲内にて、同パネル部と当該囲み部との重なりが維持されるように形成されていることを特徴とする特徴４乃至特徴１０のいずれか１つに記載の遊技機。
【０２５３】
特徴４等に示したようにパネル部を可動式とした場合、パネル部と扉枠との相対位置が変化して、両者の隙間が拡がることにより、扉枠の開口部と遊技盤及び扉枠の隙間とを通じて遊技領域に対する不正なアクセスが容易になり得る。これは防犯性向上の観点から好ましくない。そこで、本特徴に示すように、扉枠とパネル部との相対移動が許容されている範囲内にて、パネル部と囲み部との重なりが維持される構成とすれば、上記隙間維持機能が発揮されてパネル部と扉枠との相対位置が変化した場合であっても、遊技盤及び扉枠の隙間の拡がりを抑制することができる。これにより、防犯性の低下を抑えることができる。
【０２５４】
なお、特徴９との組み合わせにおいては特に、同特徴９に示した「囲み部」を本特徴に示す「パネル設置部」と同一のものとすることも可能であり、特徴９に示した「阻止部」と本特徴に示す「当接部」とを同一のものとすることも可能である。
【０２５５】
特徴１２．前記遊技盤の前面から起立する壁状をなし、遊技球を前記遊技領域へ誘導する誘導手段（誘導レール１００）と、
前記本体枠に設けられ、遊技球発射部（ソレノイド１１１）から発射された遊技球を前記誘導手段へ導く発射レール（発射レール１１２）と
を備えていることを特徴とする特徴４乃至特徴１１のいずれか１つに記載の遊技機。
【０２５６】
特徴１２によれば、遊技球発射部から発射された遊技球は、発射レール→誘導手段を経由して遊技領域へ到達する。遊技盤（詳しくは誘導手段）と発射レールとが共に本体枠に設けられている遊技機においては、遊技盤と発射レールとの位置関係が変わることは好ましくない。この点、本特徴に示す構成に特徴４等に示した構成を適用すれば、パネル部を可動式とすることにより、同パネル部と遊技盤との位置関係だけでなく、遊技盤と発射レールとの位置関係をも好適に維持することができ、実用上好ましい構成を実現できる。
【０２５７】
以下に、以上の各特徴を適用し得る遊技機の基本構成を示す。
【０２５８】
パチンコ遊技機：遊技者が操作する操作手段（遊技球発射ハンドル２９）と、その操作手段の操作に基づいて遊技球を発射する遊技球発射手段（遊技球発射機構１１０）と、その発射された遊技球を所定の遊技領域に導く球通路（誘導レール１００）と、遊技領域内に配置された各遊技部品（釘８７等）とを備え、それら各遊技部品のうち所定の通過部（一般入賞口８１等）を遊技球が通過した場合に遊技者に特典を付与する遊技機。
【符号の説明】
【０２５９】
１０…遊技機としてのパチンコ機、１３…遊技機本体としての内枠、１４…扉体としての前面扉、２０…扉枠としての枠体、２１…開口部としての窓部、２２…ガラスユニット設置部、２２ａ…囲み部としての周壁部、３０…パネル部としてのガラスユニット、３１，３２…ガラスパネル、３３…ガラスホルダ、３５…取付部、３９…規制手段を構成する延出部、４５…ネジ、４５ａ…阻止部としての頭部、４６…付勢手段としてのコイルバネ、５７…当接部を形成する保持部、７０…本体枠としての樹脂ベース、７３…遊技盤設置部としての遊技盤収容部、８０…遊技盤、１００…誘導手段としての誘導レール、１０１…内レール、１０２…外レール、１０３…誘導通路、１１０…遊技球発射部としての遊技球発射機構、１１２…発射レール、２７１…遊技盤用当接部としてのストッパ部、４００…第２レールカバー、４５０…規制手段を構成する対向部、ＰＥ…遊技領域。
【図１】
0005381521.tif 000002
【図２】
0005381521.tif 000003
【図３】
0005381521.tif 000004
【図４】
0005381521.tif 000005
【図５】
0005381521.tif 000006
【図６】
0005381521.tif 000007
【図７】
0005381521.tif 000008
【図８】
0005381521.tif 000009
【図９】
0005381521.tif 000010
【図１０】
0005381521.tif 000011
【図１１】
0005381521.tif 000012
【図１２】
0005381521.tif 000013
【図１３】
0005381521.tif 000014
【図１４】
0005381521.tif 000015
【図１５】
0005381521.tif 000016
【図１６】
0005381521.tif 000017
【図１７】
0005381521.tif 000018
【図１８】
0005381521.tif 000019
【図１９】
0005381521.tif 000020
【図２０】
0005381521.tif 000021
【図２１】
0005381521.tif 000022
【図２２】
0005381521.tif 000023
【図２３】
0005381521.tif 000024